(57)【特許請求の範囲】
【請求項１】
一の時間帯において周辺環境温度が目標温度となるように空調機を稼動させるため、複数の候補温度から一の設定温度の選択を受け付ける設定画面を表示し、利用者により選択された前記設定温度を前記目標温度として前記空調機に送信する端末装置において用いられる制御方法であって、
コンピュータである前記端末装置によって、
前記時間帯における前記目標温度の上限温度及び下限温度を取得し、
取得した前記上限温度及び前記下限温度の差分を算出し、
算出した前記差分が閾値以上か否かを判断し、
前記差分が前記閾値以上である場合に、前記設定画面において、前記上限温度及び前記下限温度に関連する項目を、前記閾値未満である場合とは、異なる形態で表示させ、
前記上限温度及び前記下限温度に関連する前記項目は、前記上限温度及び前記下限温度の表示に対応付けて、前記設定画面に表示され、前記差分が前記閾値以上か否かを示す判定表示であり、
前記差分が前記閾値以上である場合に、前記判定表示を、前記閾値未満である場合とは、異なる態様により表示させる
ことを特徴とする制御方法。
【請求項２】
前記設定画面において、複数の時間帯毎に、前記利用者から一の設定温度の選択を受け付け、
前記制御方法において、さらに、
前記時間帯のうちの第１時間帯において選択された第１設定温度と、前記第１時間帯に隣接する第２時間帯において選択された第２設定温度との差分を算出し、
算出した前記第１設定温度と前記第２設定温度との差分が閾値以上か否かを判断し、
前記第１設定温度と前記第２設定温度との差分が前記閾値以上である場合に、前記設定画面において、前記第１設定温度及び前記第２設定温度に関連する項目を、前記閾値未満である場合とは、異なる形態で表示させ、
前記設定画面において、第１軸方向に前記時間帯を示し、前記第１軸に直交する第２軸方向に前記候補温度を示し、矩形に形成されたグラフ領域を配置し、
前記グラフ領域において、前記第１時間帯により示される前記第１軸上の位置と、前記第１設定温度により示される前記第２軸上の位置とが交差する点に第１操作部を配置し、前記第２時間帯により示される前記第１軸上の位置と、前記第２設定温度により示される前記第２軸上の位置とが交差する点に第２操作部を配置し、
前記第１設定温度及び前記第２設定温度に関連する項目として、前記第１操作部及び前記第２操作部に対応付けて、前記差分が前記閾値以上であるか否かを示す判定表示を配置し、
前記差分が前記閾値以上である場合に、前記判定表示を、前記閾値未満である場合とは、異なる形態で表示させる
ことを特徴とする請求項１に記載の制御方法。
【請求項３】
一の時間帯において周辺環境温度が目標温度となるように空調機を稼動させるため、複数の候補温度から一の設定温度の選択を受け付ける設定画面を表示し、利用者により選択された前記設定温度を前記目標温度として前記空調機に送信する端末装置において用いられる制御方法であって、
コンピュータである前記端末装置によって、
前記時間帯における前記目標温度の上限温度及び下限温度を取得し、
取得した前記上限温度及び前記下限温度の差分を算出し、
算出した前記差分が閾値以上か否かを判断し、
前記差分が前記閾値以上である場合に、前記設定画面において、前記上限温度及び前記下限温度に関連する項目を、前記閾値未満である場合とは、異なる形態で表示させ、
前記設定画面に、前記候補温度を示し、
前記上限温度及び前記下限温度に関連する項目は、前記設定画面に示される前記候補温度のうち、前記上限温度以下かつ前記下限温度以上の推奨温度、又は、前記上限温度より大きく又は前記下限温度より小さい非推奨温度であり、
前記差分が前記閾値以上である場合における前記推奨温度を、前記差分が前記閾値未満である場合における前記推奨温度とは、異なる態様により表示させ、又は、前記差分が前記閾値以上である場合における前記非推奨温度を、前記差分が前記閾値未満である場合の前記非推奨温度とは、異なる態様により表示させる
ことを特徴とする制御方法。
【請求項４】
前記設定画面に、長尺帯状に形成され、当該帯に沿って、当該帯の一端からの距離に応じて前記候補温度を示すレール部を配置し、前記レール部は、前記推奨温度に相当する推奨温度部と、前記非推奨温度に相当する非推奨温度部に区分され、
前記上限温度及び前記下限温度に関連する項目は、前記推奨温度部又は前記非推奨温度であり、
前記差分が前記閾値以上である場合における前記推奨温度部を、前記差分が前記閾値未満である場合における前記推奨温度部とは、異なる態様により表示させ、又は、前記差分が前記閾値以上である場合における前記非推奨温度部を、前記差分が前記閾値未満である場合の前記非推奨温度部とは、異なる態様により表示させる
ことを特徴とする請求項３に記載の端末の制御方法。
【請求項５】
前記候補温度を表示するため、円筒軸を中心に回転自在に設けられた仮想円筒の外周面に、昇順に並べられた前記候補温度を配置し、当該外周面の半周面を、前記設定画面に投影し、
前記外周面は、前記推奨温度が配置された推奨温度部と、前記非推奨温度が配置された非推奨温度部に区分され、
前記上限温度及び前記下限温度に関連する前記項目は、前記推奨温度部、又は、前記非推奨温度部であり、
前記差分が前記閾値以上である場合における前記推奨温度部を、前記差分が前記閾値未満である場合における前記推奨温度部とは、異なる態様により表示させ、又は、前記差分が前記閾値以上である場合における前記非推奨温度部を、前記差分が前記閾値未満である場合の前記非推奨温度部とは、異なる態様により表示させる
ことを特徴とする請求項３に記載の制御方法。
【請求項６】
前記候補温度を示すため、前記設定画面に、扇状に形成された表示領域の外周円弧に沿って、当該外周円弧の一端からの距離に応じて前記候補温度を示す扇型表示計を配置し、
前記表示領域は、前記推奨温度に相当する推奨温度部と、前記非推奨温度に相当する非推奨温度部に区分され、
前記上限温度及び前記下限温度に関連する前記項目は、前記推奨温度部、又は、前記非推奨温度部であり、
前記差分が前記閾値以上である場合における前記推奨温度部を、前記差分が前記閾値未満である場合における前記推奨温度部とは、異なる態様により表示させ、又は、前記差分が前記閾値以上である場合における前記非推奨温度部を、前記差分が前記閾値未満である場合の前記非推奨温度部とは、異なる態様により表示させる
ことを特徴とする請求項３に記載の制御方法。
【請求項７】
前記設定画面に、利用者の入力により前記設定温度の選択を受け付け、選択された前記設定温度を表示するフィールド、及び、前記差分が前記閾値以上であるか否かを示す判定表示を対応付けて配置し、
前記差分が前記閾値以上である場合に、前記判定表示を、前記閾値未満である場合とは、異なる態様により表示させる
ことを特徴とする請求項１に記載の制御方法。
【請求項８】
前記設定画面に、一の前記候補温度を表示するフィールド、操作されたときに前記候補温度に一度を加算して前記設定温度とするプラスボタン、操作されたときに前記候補温度から一度を減算して前記設定温度とするマイナスボタン、及び、前記差分が前記閾値以上であるか否かを示す判定表示を対応付けて配置し、
前記差分が前記閾値以上である場合に、前記判定表示を、前記閾値未満である場合とは、異なる態様により表示させる
ことを特徴とする請求項１に記載の制御方法。
【請求項９】
異なる形態による表示を、異なる色、異なるサイズ、異なる装飾又は異なる文字書体を用いて、行い、
又は、前記上限温度及び下限温度に関連する前記項目は、前記上限温度及び下限温度に関連する表示の背景部分であり、当該背景部分を、異なる色又は異なる装飾を用いて、表示させる
ことを特徴とする請求項１に記載の制御方法。
【請求項１０】
前記制御方法において、さらに、
選択された前記設定温度が前記上限温度及び前記下限温度の範囲内にあるか否を判断し、
前記範囲内にない場合、前記設定温度を破棄し、
前記範囲内にある場合、前記設定温度を有効とする
ことを特徴とする請求項１に記載の制御方法。
【請求項１１】
前記差分が前記閾値以上である場合、利用者に対する警告として、前記設定画面にその旨を表示させ、警告音を発生させ、又は、前記端末装置を振動させる
ことを特徴とする請求項１に記載の制御方法。
【請求項１２】
前記端末装置は、ネットワークを介して、前記空調機と接続され、又は、前記端末装置は、ネットワーク及びサーバ装置を介して、前記空調機と接続され、
前記制御方法において、
前記目標温度となるように空調機を稼動させるための時間帯に対応付けて、選択された前記設定温度を、前記端末装置に記憶させ、
前記時間帯に対応付けられた前記設定温度を含み、前記空調機を稼動させるための制御コマンドを、ネットワークを介して、前記空調機へ送信し、又は、前記制御コマンドを、ネットワーク及びサーバ装置を介して、前記空調機へ送信する
ことを特徴とする請求項１に記載の制御方法。
【請求項１３】
一の時間帯において周辺環境温度が目標温度となるように空調機を稼動させるため、複数の候補温度から一の設定温度の選択を受け付ける設定画面を表示し、利用者により選択された前記設定温度を前記目標温度として前記空調機に送信する端末装置であって、
前記時間帯における前記目標温度の上限温度及び下限温度を取得する取得手段と、
取得した前記上限温度及び前記下限温度の差分を算出する算出手段と、
算出した前記差分が閾値以上か否かを判断する判断手段と、
前記差分が前記閾値以上である場合に、前記設定画面において、前記上限温度及び前記下限温度に関連する項目を、前記閾値未満である場合とは、異なる形態で表示させる表示制御手段と
を備え、
前記上限温度及び前記下限温度に関連する前記項目は、前記上限温度及び前記下限温度の表示に対応付けて、前記設定画面に表示され、前記差分が前記閾値以上か否かを示す判定表示であり、
前記表示制御手段は、前記差分が前記閾値以上である場合に、前記判定表示を、前記閾値未満である場合とは、異なる態様により表示させる
ことを特徴とする端末装置。
【請求項１４】
一の時間帯において周辺環境温度が目標温度となるように空調機を稼動させるため、複数の候補温度から一の設定温度の選択を受け付ける設定画面を表示し、利用者により選択された前記設定温度を前記目標温度として前記空調機に送信する端末装置、及び、前記空調機から構成されるシステムであって、
前記端末装置は、
前記時間帯における前記目標温度の上限温度及び下限温度を取得する取得手段と、
取得した前記上限温度及び前記下限温度の差分を算出する算出手段と、
算出した前記差分が閾値以上か否かを判断する判断手段と、
前記差分が前記閾値以上である場合に、前記設定画面において、前記上限温度及び前記下限温度に関連する項目を、前記閾値未満である場合とは、異なる形態で表示させる表示制御手段と
を備え、
前記上限温度及び前記下限温度に関連する前記項目は、前記上限温度及び前記下限温度の表示に対応付けて、前記設定画面に表示され、前記差分が前記閾値以上か否かを示す判定表示であり、
前記表示制御手段は、前記差分が前記閾値以上である場合に、前記判定表示を、前記閾値未満である場合とは、異なる態様により表示させる
ことを特徴とするシステム。
【請求項１５】
一の時間帯において周辺環境温度が目標温度となるように空調機を稼動させるため、複数の候補温度から一の設定温度の選択を受け付ける設定画面を表示し、利用者により選択された前記設定温度を前記目標温度として前記空調機に送信する端末装置において用いられるコンピュータプログラムを記録しているコンピュータ読み取り可能な記録媒体であって、
コンピュータである前記端末装置によって、
前記時間帯における前記目標温度の上限温度及び下限温度を取得し、
取得した前記上限温度及び前記下限温度の差分を算出し、
算出した前記差分が閾値以上か否かを判断し、
前記差分が前記閾値以上である場合に、前記設定画面において、前記上限温度及び前記下限温度に関連する項目を、前記閾値未満である場合とは、異なる形態で表示させ、
前記上限温度及び前記下限温度に関連する前記項目は、前記上限温度及び前記下限温度の表示に対応付けて、前記設定画面に表示され、前記差分が前記閾値以上か否かを示す判定表示であり、
前記差分が前記閾値以上である場合に、前記判定表示を、前記閾値未満である場合とは、異なる態様により表示させる
ための前記コンピュータプログラムを記録している記録媒体。
【請求項１６】
周辺環境温度が目標温度となるように空調機を稼動させるため、複数の時間帯毎に、複数の候補温度から一の設定温度の選択を受け付ける設定画面を表示し、利用者により選択された前記設定温度を前記目標温度として前記空調機に送信する端末装置において用いられる制御方法であって、
コンピュータである前記端末装置によって、
前記時間帯のうちの第１時間帯において選択された第１設定温度と、前記第１時間帯に隣接する第２時間帯において選択された第２設定温度との差分を算出し、
算出した前記差分が閾値以上か否かを判断し、
前記差分が前記閾値以上である場合に、前記設定画面において、前記第１設定温度及び前記第２設定温度に関連する項目を、前記閾値未満である場合とは、異なる形態で表示させ、
前記設定画面において、第１軸方向に前記時間帯を示し、前記第１軸に直交する第２軸方向に前記候補温度を示し、矩形に形成されたグラフ領域を配置し、
前記グラフ領域において、前記第１時間帯により示される前記第１軸上の位置と、前記第１設定温度により示される前記第２軸上の位置とが交差する点に第１操作部を配置し、前記第２時間帯により示される前記第１軸上の位置と、前記第２設定温度により示される前記第２軸上の位置とが交差する点に第２操作部を配置し、
前記第１設定温度及び前記第２設定温度に関連する項目として、前記第１操作部及び前記第２操作部に対応付けて、前記差分が前記閾値以上であるか否かを示す判定表示を配置し、
前記差分が前記閾値以上である場合に、前記判定表示を、前記閾値未満である場合とは、異なる形態で表示させる
ことを特徴とする制御方法。
【請求項１７】
異なる形態による表示を、異なる色、異なるサイズ、異なる装飾又は異なる文字書体を用いて、行い、
又は、前記第１設定温度及び前記第２設定温度に関連する前記項目は、前記第１設定温度及び前記第２設定温度に関連する表示の背景部分であり、当該背景部分を、異なる色又は異なる装飾を用いて、表示させる
ことを特徴とする請求項１６に記載の制御方法。
【請求項１８】
前記制御方法において、さらに、
利用者から前記第１設定温度に置き換えられるべき更新温度の選択を受け付け、
前記更新温度及び前記第２設定温度の差分を算出し、
算出した前記差分が前記閾値以上であるか否かを判断し、
前記差分が前記閾値以上である場合に、選択された前記更新温度を、前記閾値未満である場合とは、異なる方法により取り扱う
ことを特徴とする請求項１６に記載の制御方法。
【請求項１９】
前記差分が前記閾値以上である場合に、選択された前記更新温度を破棄し、
前記差分が前記閾値未満である場合に、前記第１設定温度を前記更新温度に置き換える
ことを特徴とする請求項１８に記載の制御方法。
【請求項２０】
選択された前記更新温度により、前記差分が前記閾値以上となる場合、前記差分が前記閾値以上とならないように、選択された前記更新温度を変更する
ことを特徴とする請求項１８に記載の制御方法。
【請求項２１】
前記設定画面に、前記更新温度を選択するための利用者による操作部を配置し、
前記操作部に対する利用者の操作に伴って、前記操作部を移動させることにより、前記更新温度の選択を受け付け、
前記操作部の移動により、前記差分が前記閾値以上となる場合、前記差分が前記閾値以上とならない範囲に、前記操作部を移動させる
ことを特徴とする請求項２０に記載の制御方法。
【請求項２２】
前記制御方法において、
前記差分が前記閾値以上である場合に、選択された前記更新温度を破棄し、前記差分が前記閾値未満となるように、前記第２時間帯における前記第２設定温度を変更する
ことを特徴とする請求項１８に記載の制御方法。
【請求項２３】
前記制御方法において、さらに、
前記第１時間帯における前記目標温度の上限温度及び下限温度を取得し、
利用者により選択された前記更新温度が上限温度及び下限温度の範囲内にあるか否を判断し、
前記範囲内にない場合、前記更新温度を破棄し、
前記範囲内にある場合、前記第１設定温度を前記更新温度に置き換える
ことを特徴とする請求項１８に記載の制御方法。
【請求項２４】
前記制御方法において、さらに、
利用者から、前記第１設定温度を更新の対象とし、前記第１設定温度に置き換えられるべき更新温度の選択が予想される場合、
前記更新温度及び前記第２設定温度の差分を算出し、
算出した前記差分が前記閾値以上であるか否かを判断し、
前記差分が前記閾値以上である場合に、前記更新温度の選択方法を、前記閾値未満である場合とは、異なる方法により行わせる
ことを特徴とする請求項１６に記載の制御方法。
【請求項２５】
前記差分が前記閾値以上である場合に、前記更新温度の選択を制限する
ことを特徴とする請求項２４に記載の制御方法。
【請求項２６】
前記設定画面に、前記利用者の操作により、更新の対象となる前記第１設定温度に一度を加算して前記更新温度とするプラスボタン、及び、前記利用者の操作により、更新の対象となる前記第１設定温度から一度を減算して前記更新温度とするマイナスボタンを配置し、
前記プラスボタン又は前記マイナスボタンの操作により、前記差分が前記閾値以上となる場合、前記プラスボタン又は前記マイナスボタンの操作を制限する
ことを特徴とする請求項２５に記載の制御方法。
【請求項２７】
前記設定画面に、前記更新温度を選択するため、利用者により操作される操作部を配置し、
前記操作部に対する利用者の操作に伴って、前記操作部を移動させることにより、前記更新温度の選択を受け付け、
前記操作部の移動により、前記差分が前記閾値以上となる場合、操作部の移動操作を制限する
ことを特徴とする請求項２５に記載の制御方法。
【請求項２８】
前記設定画面に、前記候補温度を表示し、
前記候補温度からの選択が予想される更新温度により、前記差分が前記閾値以上となる場合、前記候補温度のうち、当該更新温度を表示させず、
表示されている前記候補温度から、利用者による前記更新温度の選択を受け付け、表示されていない前記候補温度から、前記更新温度の選択を制限する
ことを特徴とする請求項２５に記載の制御方法。
【請求項２９】
前記制御方法において、さらに、
前記第１時間帯における前記目標温度の上限温度及び下限温度を取得し、
選択が予想される前記更新温度が上限温度及び下限温度の範囲内にあるか否を判断し、
前記範囲内にない場合、前記更新温度の選択を制限する
ことを特徴とする請求項２４に記載の制御方法。
【請求項３０】
前記差分が前記閾値以上である場合、利用者に対する警告として、前記設定画面にその旨を表示させ、警告音を発生させ、又は、前記端末装置を振動させる
ことを特徴とする請求項１６に記載の制御方法。
【請求項３１】
前記端末装置は、ネットワークを介して、前記空調機と接続され、又は、前記端末装置は、ネットワーク及びサーバ装置を介して、前記空調機と接続され、
前記制御方法において、
前記目標温度となるように空調機を稼動させるための前記時間帯に対応付けて、選択された前記設定温度を、前記端末装置に記憶させ、
前記時間帯に対応付けられた前記設定温度を含み、前記空調機を稼動させるための制御コマンドを、ネットワークを介して、前記空調機へ送信し、又は、前記制御コマンドを、ネットワーク及びサーバ装置を介して、前記空調機へ送信する
ことを特徴とする請求項１６に記載の制御方法。
【請求項３２】
周辺環境温度が目標温度となるように空調機を稼動させるため、複数の時間帯毎に、複数の候補温度から一の設定温度の選択を受け付ける設定画面を表示し、利用者により選択された前記設定温度を前記目標温度として前記空調機に送信する端末装置であって、
前記時間帯のうちの第１時間帯において選択された第１設定温度と、前記第１時間帯に隣接する第２時間帯において選択された第２設定温度との差分を算出する算出手段と、
算出した前記差分が閾値以上か否かを判断する判断手段と、
前記差分が前記閾値以上である場合に、前記設定画面において、前記第１設定温度及び前記第２設定温度に関連する項目を、前記閾値未満である場合とは、異なる形態で表示させる表示制御手段と
を備え、
前記表示制御手段は、
前記設定画面において、第１軸方向に前記時間帯を示し、前記第１軸に直交する第２軸方向に前記候補温度を示し、矩形に形成されたグラフ領域を配置し、
前記グラフ領域において、前記第１時間帯により示される前記第１軸上の位置と、前記第１設定温度により示される前記第２軸上の位置とが交差する点に第１操作部を配置し、前記第２時間帯により示される前記第１軸上の位置と、前記第２設定温度により示される前記第２軸上の位置とが交差する点に第２操作部を配置し、
前記第１設定温度及び前記第２設定温度に関連する項目として、前記第１操作部及び前記第２操作部に対応付けて、前記差分が前記閾値以上であるか否かを示す判定表示を配置し、
前記差分が前記閾値以上である場合に、前記判定表示を、前記閾値未満である場合とは、異なる形態で表示させる
ことを特徴とする端末装置。
【請求項３３】
周辺環境温度が目標温度となるように空調機を稼動させるため、複数の時間帯毎に、複数の候補温度から一の設定温度の選択を受け付ける設定画面を表示し、利用者により選択された前記設定温度を前記目標温度として前記空調機に送信する端末装置、及び、前記空調機から構成されるシステムであって、
前記端末装置は、
前記時間帯のうちの第１時間帯において選択された第１設定温度と、前記第１時間帯に隣接する第２時間帯において選択された第２設定温度との差分を算出する算出手段と、
算出した前記差分が閾値以上か否かを判断する判断手段と、
前記差分が前記閾値以上である場合に、前記設定画面において、前記第１設定温度及び前記第２設定温度に関連する項目を、前記閾値未満である場合とは、異なる形態で表示させる表示制御手段と
を備え、
前記表示制御手段は、
前記設定画面において、第１軸方向に前記時間帯を示し、前記第１軸に直交する第２軸方向に前記候補温度を示し、矩形に形成されたグラフ領域を配置し、
前記グラフ領域において、前記第１時間帯により示される前記第１軸上の位置と、前記第１設定温度により示される前記第２軸上の位置とが交差する点に第１操作部を配置し、前記第２時間帯により示される前記第１軸上の位置と、前記第２設定温度により示される前記第２軸上の位置とが交差する点に第２操作部を配置し、
前記第１設定温度及び前記第２設定温度に関連する項目として、前記第１操作部及び前記第２操作部に対応付けて、前記差分が前記閾値以上であるか否かを示す判定表示を配置し、
前記差分が前記閾値以上である場合に、前記判定表示を、前記閾値未満である場合とは、異なる形態で表示させる
ことを特徴とするシステム。
【請求項３４】
周辺環境温度が目標温度となるように空調機を稼動させるため、複数の時間帯毎に、複数の候補温度から一の設定温度の選択を受け付ける設定画面を表示し、利用者により選択された前記設定温度を前記目標温度として前記空調機に送信する端末装置において用いられるコンピュータプログラムを記録しているコンピュータ読み取り可能な記録媒体であって、
コンピュータである前記端末装置に、
前記時間帯のうちの第１時間帯において選択された第１設定温度と、前記第１時間帯に隣接する第２時間帯において選択された第２設定温度との差分を算出し、
算出した前記差分が閾値以上か否かを判断し、
前記差分が前記閾値以上である場合に、前記設定画面において、前記第１設定温度及び前記第２設定温度に関連する項目を、前記閾値未満である場合とは、異なる形態で表示させ、
前記設定画面において、第１軸方向に前記時間帯を示し、前記第１軸に直交する第２軸方向に前記候補温度を示し、矩形に形成されたグラフ領域を配置し、
前記グラフ領域において、前記第１時間帯により示される前記第１軸上の位置と、前記第１設定温度により示される前記第２軸上の位置とが交差する点に第１操作部を配置し、前記第２時間帯により示される前記第１軸上の位置と、前記第２設定温度により示される前記第２軸上の位置とが交差する点に第２操作部を配置し、
前記第１設定温度及び前記第２設定温度に関連する項目として、前記第１操作部及び前記第２操作部に対応付けて、前記差分が前記閾値以上であるか否かを示す判定表示を配置し、
前記差分が前記閾値以上である場合に、前記判定表示を、前記閾値未満である場合とは、異なる形態で表示させる
ための前記コンピュータプログラムを記録している記録媒体。
【発明の詳細な説明】
【技術分野】
【０００１】
本発明は、空調機を遠隔操作する端末装置において用いられる技術に関する。
【背景技術】
【０００２】
電気用品の技術上の基準を定める省令の解釈の一部が改正されたことにより（平成２５年５月１０日）、空調機等、通信回線を利用した遠隔制御機構を有する機器についての規制が緩和された。その結果、スマートフォン、タブレット等の携帯端末から空調機を遠隔操作する機能を持つアプリケーションプログラムが増加している。
非特許文献１によると、スマートフォンに、赤外線リモコンの操作パネルに類似する画面を表示し、空調機の遠隔操作を可能としている。非特許文献１に記載された携帯端末の設定画面を図３７に示す。当該設定画面には、運転停止ボタン１００１、モード変更ボタン１００２、詳細変更ボタン１００３及び送信ボタン１００４が表示されている。運転停止ボタン１００１は、空調機の運転又は停止のために用いられる。また、モード変更ボタン１００２は、冷房、暖房等を切り換えるために用いられる。さらに、詳細変更ボタン１００３は、温度、風速、湿度等を変更するために用いられる。上記の設定が完了した後、送信ボタン１００４の押下により、空調機に設定情報が送信される。
【０００３】
また、特許文献１によると、スマートフォンの画面上に、グラフ画面を表示させ、タッチパネルに対する操作により、時間帯ごとに空調機の温度設定を可能としている。特許文献１に記載されたスマートフォンのタッチパネル上に表示される温度設定画面を図３８に示す。この図において、縦軸１１０１は、設定温度を示し、横軸１１０２は、時間の経過を示す。また、曲線１１０３は、各時刻における設定温度を示している。曲線１１０３の各時刻に相当する部分に指でタッチし、その部分を指で縦軸方向にスライド操作する。これにより、各時刻における空調機の設定温度を変更することができる。
【０００４】
さらに、特許文献２によると、リモートコントローラに、時刻ごとにツマミ部材を設け、各ツマミ部材を操作することにより、各時刻の設定温度の設定を可能としている。特許文献２に記載されたリモートコントローラを図３９に示す。この図において、縦軸１２０１は、設定温度を示し、横軸１２０２は、タイマーの操作開始からの経過時間（１時間後、２時間後・・・）を示す。利用者が、各経過時間のツマミ部材１２０３を所望の温度までスライドすることにより、設定温度の変更を行う。リモートコントローラは、通常操作とタイマー操作を切り替えるスイッチ１２０４を備える。利用者が、スイッチ１２０４をタイマー操作に切り替えることにより、各経過時間後の設定温度が空調機に設定される。
【先行技術文献】
【特許文献】
【０００５】
【特許文献１】特開２０１３−７６４９３号公報
【特許文献２】特開２００１−３４３４７７号公報
【非特許文献】
【０００６】
【非特許文献１】"日立エアコンモバイルコントロール"、[online]、［2014年9月17日検索］、インターネット＜URL:https://itunes.apple.com/jp/app/ri-lieakonmobairukontororu/id615848889?mt=8＞
【発明の概要】
【発明が解決しようとする課題】
【０００７】
しかしながら、非特許文献１により開示された制御方法によると、時間ごとにきめ細やかな温度設定ができない。このため、例えば、就寝中に使用すると、室内の温度が低くなすぎ、又は、高くなりすぎる場合がある。こうして、継続して空調機を稼動させることにより、寝冷えをし、又は、暑苦しくて目が覚めてしまうということがある。
また、特許文献１及び特許文献２により開示された制御方法によると、時間帯ごとにきめ細やかな温度制御ができるものの、誤操作等により、設定温度を自由に変更できてしまう。このため、設定温度を大きく変更することが可能となる。例えば、３０度に設定されるべき温度を、誤って、１６度に変更させる場合が発生し得る。この結果、急激な温度変化によって利用者の体調変化を引き起こしたり、または、空調機が無駄に電力を消費したりする場合がある。
【０００８】
本発明は、空調機の周辺環境温度を急激に変化させないように、利用者に対して警告できる端末装置の制御方法、端末装置及びシステムを提供することを目的とする。
【課題を解決するための手段】
【０００９】
上記目的を達成するため、本発明の一態様は、一の時間帯において周辺環境温度が目標温度となるように空調機を稼動させるため、複数の候補温度から一の設定温度の選択を受け付ける設定画面を表示し、利用者により選択された前記設定温度を前記目標温度として前記空調機に送信する端末装置において用いられる制御方法であって、コンピュータである前記端末装置によって、前記時間帯における前記目標温度の上限温度及び下限温度を取得し、取得した前記上限温度及び前記下限温度の差分を算出し、算出した前記差分が閾値以上か否かを判断し、前記差分が前記閾値以上である場合に、前記設定画面において、前記上限温度及び前記下限温度に関連する項目を、前記閾値未満である場合とは、異なる形態で表示させることを特徴とする。
【発明の効果】
【００１０】
上記の態様によると、上限温度及び下限温度に関連する項目についての表示の形態により、利用者は、上限温度及び下限温度の差分が閾値以上であるか否かを知ることができる。前記差分が閾値以上である場合には、設定温度として選択できる範囲が広い。このため、空調機の周辺環境温度を急激に変化させる操作がされる可能性が高い。このような場合に、急激な温度変化を引き起こす原因となる操作をしないように、利用者に警告することができる。
【００１１】
また、本発明の別の一態様は、周辺環境温度が目標温度となるように空調機を稼動させるため、複数の時間帯毎に、複数の候補温度から一の設定温度の選択を受け付ける設定画面を表示し、利用者により選択された前記設定温度を前記目標温度として前記空調機に送信する端末装置において用いられる制御方法であって、コンピュータである前記端末装置によって、前記時間帯のうちの第１時間帯において選択された第１設定温度と、前記第１時間帯に隣接する第２時間帯において選択された第２設定温度との差分を算出し、算出した前記差分が閾値以上か否かを判断し、前記差分が前記閾値以上である場合に、前記設定画面において、前記第１設定温度及び前記第２設定温度に関連する項目を、前記閾値未満である場合とは、異なる形態で表示させることを特徴とする。
【００１２】
上記の態様によると、隣接する時間帯における第１設定温度及び第２設定温度に関連する項目についての表示の形態により、利用者は、第１設定温度及び第２設定温度の差分が閾値以上であるか否かを知ることができる。前記差分が閾値以上である場合には、空調機の周辺環境温度を急激に変化させる可能性が高い。このような状況を避けるため、設定温度を更新するように、利用者に警告することができる。
【００１３】
このように、空調機の周辺環境温度を急激に変化させないように、利用者に対して警告できるという優れた効果を奏する。
【図面の簡単な説明】
【００１４】
【図１】実施の形態１としての空調機遠隔制御システム１０の構成を示すシステム構成図である。
【図２】携帯端末１０１の構成を示すブロック図である。
【図３】温度範囲テーブル１２２のデータ構造の一例を示す。
【図４】空調機制御情報テーブル１２３のデータ構造の一例を示す。
【図５】（ａ）携帯端末１０１に表示される設定画面２００ａを示す。（ｂ）携帯端末１０１に表示される設定画面２００ｂを示す。
【図６】サーバ装置１０３の構成を示すブロック図である。
【図７】空調機１０２の構成を示すブロック図である。
【図８】空調機遠隔制御システム１０の全体の動作を示すシーケンス図（その１）である。
【図９】空調機遠隔制御システム１０の全体の動作を示すシーケンス図（その２）である。
【図１０】空調機遠隔制御システム１０の全体の動作を示すシーケンス図（その３）である。
【図１１】設定画面の生成と表示の動作を示すフローチャートである。
【図１２】（ａ）変形例１として、携帯端末１０１に表示される設定画面２００ｃを示す。（ｂ）変形例１として、携帯端末１０１に表示される設定画面２００ｄを示す。
【図１３】変形例１として、空調機遠隔制御システム１０ａの動作を示すシーケンス図（その１）である。
【図１４】変形例１として、空調機遠隔制御システム１０ａの動作を示すシーケンス図（その２）である。
【図１５】変形例２として、携帯端末１０１に表示される設定画面２００ｅを示す。
【図１６】変形例２として、温度設定の動作を示すフローチャートである。
【図１７】変形例３として、携帯端末１０１に表示される設定画面２００ｆを示す。
【図１８】変形例３として、携帯端末１０１に表示される設定画面２００ｇを示す。
【図１９】変形例３として、携帯端末１０１に表示される設定画面２００ｈを示す。
【図２０】変形例３として、携帯端末１０１ａを示す外観斜視図である。
【図２１】変形例４として、携帯端末１０１に表示される設定画面２００ｉを示す。
【図２２】変形例４として、携帯端末１０１に表示される設定画面２００ｊを示す。
【図２３】変形例４として、携帯端末１０１に表示される設定画面２００ｋを示す。
【図２４】変形例４として、携帯端末１０１に表示される設定画面２００ｍを示す。
【図２５】変形例４として、携帯端末１０１に表示される設定画面６００を示す。
【図２６】変形例５として、携帯端末１０１に表示される設定画面２００ｎを示す。
【図２７】変形例５として、携帯端末１０１において、設定画面を表示する動作を示すフローチャートである。
【図２８】変形例６として、携帯端末１０１において、上限温度及び下限温度を入力する動作を示すフローチャートである。
【図２９】変形例７として、携帯端末１０１において、設定温度を入力する動作を示すフローチャートである。
【図３０】変形例７として、携帯端末１０１において、設定温度を入力する動作を示すフローチャートである。
【図３１】実施の形態２として、携帯端末１０１に表示される設定画面６２０を示す。
【図３２】実施の形態２として、携帯端末１０１において、設定温度を設定する動作を示すフローチャートである。
【図３３】（ａ）実施の形態３として、携帯端末１０１に表示される設定画面７０６ａを示す。（ｂ）実施の形態３として、携帯端末１０１に表示される設定画面７０６ｂを示す。（ｃ）実施の形態３として、携帯端末１０１に表示される設定画面７０６ｃを示す。
【図３４】実施の形態３として、携帯端末１０１において、設定温度を設定する動作を示すフローチャートである。
【図３５】その他の変形例として、携帯端末１０１に表示される設定画面８０１を示す。
【図３６】その他の変形例として、携帯端末１０１に表示される設定画面８１１を示す。
【図３７】非特許文献１における設定画面を示す。
【図３８】特許文献１における設定画面を示す。
【図３９】特許文献２におけるリモートコントローラを示す。
【発明を実施するための形態】
【００１５】
以下、本発明に係る実施の形態について、図面を参照しながら説明する。
１．実施の形態１
実施の形態１としての空調機遠隔制御システム１０について、説明する。
１．１  空調機遠隔制御システム１０の概要
図１に、空調機遠隔制御システム１０の全体構成を示す。
【００１６】
空調機遠隔制御システム１０は、図１に示すように、携帯端末１０１、サーバ装置１０３及び空調機１０２から構成されている。携帯端末１０１は、ネットワーク１０４を介して、サーバ装置１０３と接続されている。また、サーバ装置１０３は、ネットワーク１０４を介して、携帯端末１０１と接続され、ネットワーク１０５を介して、空調機１０２と接続されている。
【００１７】
ここで、ネットワーク１０４は、一例として、携帯電話網及びインターネットである。また、ネットワーク１０５は、一例として、インターネットである。言い換えると、携帯端末１０１は、携帯電話網及びインターネットを介して、サーバ装置１０３と接続されている。また、サーバ装置１０３は、インターネットを介して、空調機１０２と接続されている。
【００１８】
携帯端末１０１は、一の時間帯において周辺環境温度が目標温度となるように空調機１０２を稼動させるため、複数の候補温度から一の設定温度の選択を受け付ける設定画面を表示する。携帯端末１０１は、前記時間帯において空調機１０２における目標温度の上限温度及び下限温度を取得する。次に、取得した上限温度及び下限温度の差分を算出する。次に、携帯端末１０１は、算出した前記差分が範囲閾値以上か否かを判断する。前記差分が範囲閾値以上である場合に、設定画面において、上限温度及び下限温度に関連する項目を、範囲閾値未満である場合とは、異なる形態で表示させる。
【００１９】
携帯端末１０１は、ネットワーク１０４を介して、制御コマンドをサーバ装置１０３に対して送信する。制御コマンドは、空調機１０２における目標温度としての設定温度等から構成される空調機制御情報テーブルを含む。サーバ装置１０３は、空調機制御情報テーブルを受信して記憶し、設定温度等を設定すべき時刻になると、当該設定温度等を含む設定情報を空調機１０２に対して送信する。空調機１０２は、目標温度等としての設定温度等を含む設定情報を受信する。次に、空調機１０２は、受信した設定情報に従って、周辺環境温度等が設定情報に含まれる目標温度等としての設定温度等となるように、稼動する。
【００２０】
１．２  携帯端末１０１
図２に、携帯端末１０１の構成を示す。
携帯端末１０１は、図２に示すように、アンテナ１１１、無線通信部１１２、通信制御部１１３、音声制御部１１４、スピーカ１１５、マイク１１６、制御部１１７、入出力制御部１１８、操作受付部１１９、タッチパネル１２０、バイブレータ１２４及び記憶部１２１から構成されている。
【００２１】
携帯端末１０１は、具体的には、マイクロプロセッサ、信号処理プロセッサ、ＲＯＭ、ＲＡＭなどから構成されるコンピュータシステムである。前記ＲＡＭには、コンピュータプログラムが記憶されている。前記マイクロプロセッサ及び前記信号処理プロセッサが、前記コンピュータプログラムに従って動作することにより、携帯端末１０１は、その機能を達成する。
【００２２】
（１）記憶部１２１
記憶部１２１は、不揮発性の半導体メモリから構成されている。
記憶部１２１は、温度範囲テーブル１２２及び空調機制御情報テーブル１２３を保持している。また、記憶部１２１は、複数のコンピュータプログラム、複数のアプリケーションプログラム等を記憶している。アプリケーションプログラムの一例は、空調機制御アプリケーションである。ここで、空調機制御アプリケーションは、利用者から設定情報の入力を受け付け、入力された設定情報を、サーバ装置１０３を介して、空調機１０２に送信するためのプログラムである。設定情報は、予定時刻、運転モード、設定温度、風向、風量等を含む。
【００２３】
（温度範囲テーブル１２２）
図３に温度範囲テーブル１２２のデータ構造の一例を示す。
温度範囲テーブル１２２は、図３に示すように、複数の温度範囲情報を含む。各温度範囲情報は、予定時刻、上限温度及び下限温度を対応付けて含む。
予定時刻は、空調機１０２において、対応する上限温度及び下限温度が適用される時刻を示す。具体的には、当該予定時刻から、次に設定される予定時刻までの時間帯において、対応する上限温度及び下限温度が適用される。
【００２４】
上限温度は、空調機１０２において、設定される目標温度の上限値を示す。空調機１０２において、上限温度より高い温度を設定すべきではない。
下限温度は、空調機１０２において、設定される目標温度の下限値を示す。空調機１０２において、下限温度より低い温度を設定すべきではない。
予定時刻、上限温度及び下限温度は、それぞれ、携帯端末１０１の利用者により、予め設定されている、としてもよい。言い換えると、利用者が上限温度及び下限温度を決定するとしてもよい。また、携帯端末１０１は、予定時刻、上限温度及び下限温度を、予め設定していてもよい。言い換えると、携帯端末１０１が上限温度及び下限温度を決定する、としてもよい。携帯端末１０１による決定の例については、後述する。
【００２５】
なお、上限温度以下かつ下限温度以上の範囲の温度を、推奨温度と呼び、上限温度以下かつ下限温度以上の範囲を、推奨温度範囲又は推奨温度領域と呼ぶ。また、上限温度より高い温度の範囲を、高温度範囲と呼び、下限温度より低い温度の範囲を、低温度範囲と呼ぶ。さらに、高温度範囲及び低温度範囲の温度を非推奨温度と呼び、高温度範囲及び低温度範囲を非推奨温度範囲又は非推奨温度領域と呼ぶ。
【００２６】
図３に示す温度範囲テーブル１２２は、一例として、予定時刻１２２ａ「１１時」、上限温度１２２ｂ「２８度」及び下限温度１２２ｃ「２２度」から構成される温度範囲情報を含む。この温度範囲情報は、空調機１０２において、１１時以降、次に設定される予定時刻までの時間帯において、上限温度として、２８度、下限温度として、２２度が設定されることを示す。
【００２７】
（空調機制御情報テーブル１２３）
図４に空調機制御情報テーブル１２３のデータ構造の一例を示す。
空調機制御情報テーブル１２３は、図４に示すように、複数の設定情報を含む。
各設定情報は、予定時刻、運転モード、設定温度、風向及び風量を対応付けて含む。
予定時刻は、空調機１０２において、対応する運転モード、設定温度、風向及び風量が適用される時刻を示す。具体的には、当該予定時刻から、次に設定される予定時刻までの時間帯において、対応する運転モード、設定温度、風向及び風量が適用される。
【００２８】
運転モードは、空調機１０２において稼動するモードを示す。運転モードは、一例として、「冷房」、「除湿」、「暖房」及び「ＯＦＦ」を含む。「冷房」は、空調機１０２において冷房により運転することを示す。「除湿」は、空調機１０２において除湿により運転することを示す。「暖房」は、空調機１０２において暖房により運転することを示す。「ＯＦＦ」は、空調機１０２の空調機能が停止され、運転されないことを示す。
【００２９】
設定温度は、空調機１０２において、設定されるべき目標温度である。空調機１０２は、その周辺環境温度が目標温度となるように、稼動する。
風向は、空調機１０２において、設定されるべき風向である。空調機１０２は、設定された風向に、送風するように、送風ファンの向きを変更する。
風量は、空調機１０２において、設定されるべき風量である。空調機１０２は、設定された風量により、送風する。
【００３０】
図４に示す空調機制御情報テーブル１２３は、一例として、予定時刻１２３ａ「１１時」、運転モード１２３ｂ「冷房」、設定温度１２３ｃ「２２度」、風向１２３ｄ「上」及び風量１２３ｅ「強」から構成させる設定情報を含む。この設定情報は、空調機１０２において、１１時以降、次に設定される予定時刻までの時間帯において、冷房により運転され、設定温度として、２２度、風向として、上、風量として、強が設定されていることを示す。
【００３１】
（２）タッチパネル１２０
タッチパネル１２０は、一例として、液晶ディスプレイとタッチパッド部とから構成されている。タッチパッド部は、利用者による接触操作を繰り返し検出する。次に、検出した接触位置を、入出力制御部１１８を介して、制御部１１７に対して出力する。
液晶ディスプレイは、制御部１１７から、入出力制御部１１８を介して、画像データを受け取る。次に、液晶ディスプレイは、受け取った画像データに基づいて、画像を表示する。
【００３２】
画像の一例は、設定画面である。液晶ディスプレイは、制御部１１７から、入出力制御部１１８を介して、設定画面を構成する画像データを受け取る。次に、液晶ディスプレイは、受け取った画像データに基づいて、設定画面を表示する。設定画面は、周辺環境温度等が目標温度等としての設定温度等となるように空調機１０２を稼動させるため、利用者から設定温度等の選択を受け付けるために用いられる。
【００３３】
（設定画面の例）
タッチパネル１２０の液晶ディスプレイに表示される設定画面の一例として、図５（ａ）に、設定画面２００ａを示す。
設定画面２００ａは、図５（ａ）に示すように、縦軸２０２、横軸２０３、複数の温度バー２０１ａ、２０１ｂ、２０１ｃ、複数の温度設定ボタン２０４ａ、２０４ｂ、２０４ｃ及び開始ボタン２０５を含む。
【００３４】
温度バー２０１ａ、２０１ｂ及び２０１ｃは、それぞれ、長尺帯状のレールである。また、温度設定ボタン２０４ａ、２０４ｂ及び２０４ｃは、それぞれ、スライダーである。図５（ｂ）に示すように、利用者が自身の指等の操作体を、スライダーに接触させたまま、タッチパネル１２０の操作面上を、滑らすように、移動させる。操作体の移動に伴って、スライダーがタッチパネル１２０の操作面のレール上を、レールから離れることなく、移動する。操作体がタッチパネル１２０の操作面から離れると、スライダーの移動が停止する。スライダーは、停止位置における表示を維持する。
【００３５】
このように、スライダーは、レールにより規制されて、移動可能に設けられている。
縦軸２０２は、温度の変化を示す。縦軸２０２に沿って、設定画面２００ａの左側部に、縦方向に、複数の温度を示す目盛り値が表示されている。設定画面２００ａでは、上から、「３０°Ｃ」、「２５°Ｃ」及び「２０°Ｃ」が表示されている。それぞれ、「３０°Ｃ」、「２５°Ｃ」及び「２０°Ｃ」に対応する位置が、温度３０°Ｃ、２５°Ｃ及び２０°Ｃであることを示している。
【００３６】
横軸２０３は、時刻の変化を示す。横軸２０３に沿って、設定画面２００ａの下部に、横方向に、複数の予定時刻を示す目盛り値が表示されている。設定画面２００ａでは、予定時刻として、左から、「１１時」、「０時」及び「１時」が表示されている。それぞれ、「１１時」、「０時」及び「１時」に対応する位置が、予定時刻１１時、０時及び１時であることを示している。
【００３７】
なお、図５（ａ）の設定画面２００ａの横軸２０３には、予定時刻１１時、０時及び１時等のように、絶対時刻を表示している。しかし、これには、限定されない。横軸２０３には、相対時刻を表示してもよい。例えば、横軸２０３の「１１時」、「０時」及び「１時」の表示に代えて、「０時間後」、「１時間後」、「２時間後」・・・のように、表示してもよい。「０時間後」は、利用者が設定温度等を設定しようとしている現在の時刻である。また、「１時間後」、「２時間後」・・・の時刻表示は、先頭の「０時間後」からの相対時刻である。
【００３８】
複数の温度バー２０１ａ、２０１ｂ及び２０１ｃは、それぞれ、複数の予定時刻「１１時」、「０時」及び「１時」に対応し、各予定時刻において選択の対象となる候補温度の範囲を示している。各温度バーは、設定画面２００ａの中央部において、縦方向に、温度の変化に従って、長尺の帯状に形成され、対応する予定時刻の上側に配置されている。各温度バーには、上限温度及び下限温度の位置が示されている。一例として、温度バー２０１ａにおいては、２０８ｘにより上限温度の位置を示し、２０８ｙにより下限温度の位置を示す。
【００３９】
各温度バーには、高温度範囲、推奨温度範囲及び低温度範囲が示されている。高温度範囲は、上限温度より高い温度範囲であり、推奨温度範囲は、上限温度以下、かつ、下限温度以上の温度範囲であり、低温度範囲は、下限温度より低い温度範囲である。
高温度範囲及び低温度範囲が、推奨温度範囲と識別できるように、高温度範囲及び低温度範囲には、推奨温度範囲とは異なる表示色、装飾、又は表示色及び装飾が付されている。なお、ここでは、表示色は、無色を含み、装飾は、装飾が付されない場合を含むものとする。
【００４０】
ここで、温度バー２０１ａは、高温度範囲２０７ｘ、推奨温度範囲２０６及び低温度範囲２０７ｙを含む。高温度範囲２０７ｘ及び低温度範囲２０７ｙには、一例として、左斜め上及び右斜め上方向のハッチングが施されている。一方、推奨温度範囲２０６には、一例として、ハッチングが施されていない。
また、温度バー２０１ｂは、高温度範囲、推奨温度範囲及び低温度範囲を含む。高温度範囲及び低温度範囲には、一例として、右斜め上方向のハッチングが施されている。一方、推奨温度範囲には、一例として、ハッチングが施されていない。
【００４１】
ここで、一例として、温度バー２０１ａについては、上限温度と下限温度との差分が、範囲閾値以上である。一方、温度バー２０１ｂ及び２０１ｃについては、上限温度と下限温度との差分が、範囲閾値未満である。
上記のように、温度バー２０１ａの高温度範囲２０７ｘ及び低温度範囲２０７ｙには、左斜め上及び右斜め上方向のハッチングが施されている。一方、温度バー２０１ｂの高温度範囲及び低温度範囲には、右斜め上方向のハッチングが施されている。また、温度バー２０１ｃの高温度範囲及び低温度範囲にも、右斜め上方向のハッチングが施されている。
【００４２】
このように、複数の温度バーのうち、上限温度と下限温度との差分が、範囲閾値以上である場合における温度バーの非推奨温度範囲は、範囲閾値未満である場合における温度バーの非推奨温度範囲とは、異なる形態により表示されている。ここで、異なる形態として、異なる表示色、異なる装飾、又は異なる表示色及び異なる装飾が用いられる。これにより、前記差分が範囲閾値以上である温度バーと、前記差分が範囲閾値未満である温度バーとを識別できる。
【００４３】
複数の温度バー２０１ａ、２０１ｂ及び２０１ｃの上には、それぞれ、複数の温度設定ボタン２０４ａ、２０４ｂ及び２０４ｃが配置されている。また、温度設定ボタン２０４ａ、２０４ｂ及び２０４ｃの上には、空調機１０２における運転モードが表示されている。
具体的には、温度設定ボタン２０４ａ、２０４ｂ及び２０４ｃは、それぞれ、約２５°Ｃ、約２５°Ｃ及び約２３°Ｃの候補温度の位置に配置されている。また、温度設定ボタン２０４ａ、２０４ｂ及び２０４ｃには、それぞれ、運転モード「冷房」、「ＯＦＦ」及び「冷房」が表示されている。
【００４４】
従って、温度設定ボタン２０４ａは、予定時刻１時において、約２５°Ｃに温度が設定され、運転モード「冷房」であることを示している。また、温度設定ボタン２０４ｂは、予定時刻０時において、約２５°Ｃに温度が設定され、運転モード「ＯＦＦ」であることを示している。なお、運転モード「ＯＦＦ」であるので、約２５°Ｃの温度設定には、意味がない。さらに、温度設定ボタン２０４ｃは、予定時刻１１時において、約２３°Ｃに温度が設定され、運転モード「冷房」であることを示している。ここで、温度設定ボタン２０４ａ、２０４ｂ及び２０４ｃが配置されている位置により示される温度が、利用者により選択された設定温度である。
【００４５】
図５（ｂ）に示すように、利用者が操作体を、スライダーである温度設定ボタン２０４ａに接触させたまま、タッチパネル１２０の操作面上を、滑らすように、移動させる。操作体の移動に伴って、温度設定ボタンがタッチパネル１２０の操作面のレールである温度バー２０１ａ上を、温度バー２０１ａから離れることなく、移動する。操作体が操作面から離れると、温度設定ボタンの移動が停止する。温度設定ボタン２０４ａａは、停止位置における表示を維持する。タッチパネル１２０は、停止している温度設定ボタン２０４ａａの位置を、入出力制御部１１８を介して、制御部１１７に対して、出力する。この位置は、温度設定ボタン２０４ａａが配置されている位置に対応する温度を示す。
【００４６】
利用者は、時刻毎に、表示されるスライダーをレールに沿って、スライド操作することにより、任意の時刻における複数の候補温度から一つの設定温度を選択することができる。
また、温度設定ボタンに対して、利用者がタップ操作をすることにより、空調機１０２の運転モードを変更することができる。即ち、温度設定ボタンに対して、タップ操作をする毎に、運転モードが、冷房、暖房、除湿、電源ＯＦＦと、順番に切り替わる。これに伴い、温度設定ボタン上における表示が、一例として、「冷」、「暖」、「除」、「ＯＦＦ」と、切り替わる。
【００４７】
なお、タップ操作とは、利用者により、操作体を、所定時間、継続してタッチパネル１２０上に接触させる操作をいう。タップ操作では、利用者が操作体をタッチパネル１２０上に接触させ、その接触位置を変更することなく、所定時間、例えば、０．１秒間、継続して操作体をタッチパネル１２０上に接触させる。利用者は、所定時間の経過後、操作体をタッチパネル１２０から離す。
【００４８】
開始ボタン２０５は、設定画面２００ａにおいて設定された予定時刻毎の設定温度及び運転モードを、サーバ装置１０３に対して、送信するために用いられる。利用者により、開始ボタン２０５が押下されると、予定時刻毎の設定温度及び運転モードが、サーバ装置１０３に対して、送信される。
（３）操作受付部１１９
操作受付部１１９は、複数のボタンを備える。
【００４９】
複数のボタンの一部は、携帯端末１０１の正面に配置され、その他のボタンは、携帯端末１０１の側面に配置されている。各ボタンは、それぞれ、利用者に押下されることにより、操作される。
利用者により、各ボタンが押下されると、各ボタンに対応する操作信号を、入出力制御部１１８に対して出力する。
【００５０】
（４）入出力制御部１１８
入出力制御部１１８は、操作受付部１１９から操作信号を受け取る。また、入出力制御部１１８は、タッチパネル１２０から接触位置を示す位置情報を受け取る。また、制御部１１７から、文字や画像データを受け取り、受け取った文字や画像データをタッチパネル１２０に出力して表示するように制御する。また、バイブレータ１２４に対して、振動を開始又は停止するように指示する。
【００５１】
（５）制御部１１７
制御部１１７は、通信制御部１１３、音声制御部１１４及び入出力制御部１１８を制御する。また、制御部１１７は、その他の制御を行う。
制御部１１７は、入出力制御部１１８から位置情報を受け取り、受け取った位置情報に対応するアプリケーションプログラムを記憶部１２１から読み出す。次に、読み出したアプリケーションプログラムを実行する。
【００５２】
制御部１１７は、取得部１１７ａ、算出部１１７ｂ、判断部１１７ｃ及び表示制御部１１７ｄを含んでいる。
取得部１１７ａは、空調機１０２における目標温度の上限温度及び下限温度を取得する。算出部１１７ｂは、上限温度及び下限温度の差分を算出する。判断部１１７ｃは、算出した差分が範囲閾値以上か否かを判断する。表示制御部１１７ｄは、前記差分が範囲閾値以上である場合に、設定画面において、上限温度及び下限温度に関連する項目を、範囲閾値未満である場合とは、異なる形態で表示させる。ここで、上限温度及び下限温度に関連する項目は、一例として、上記の温度バーにおける高温度範囲及び低温度範囲である。異なる形態で表示させるとは、一例として、高温度範囲及び低温度範囲に施すハッチングの種類を変更することをいう。なお、上限温度及び下限温度に関連する項目は、一例として、上記の温度バーにおける推奨温度範囲であるとしてもよい。
【００５３】
（利用者から操作を受け付けた場合の処理）
制御部１１７は、タッチパネル１２０から、利用者の操作体による接触位置を受け取る。次に、制御部１１７は、受け取った接触位置を用いて、当該接触位置に対応する操作信号を生成する。なお、制御部１１７は、接触位置と操作信号とを、予め対応付けて記憶している。また、制御部１１７は、操作受付部１１９から、利用者の操作に対応する操作信号を受け取る。
【００５４】
制御部１１７は、操作信号の種類を判断する。操作信号は、空調機制御アプリケーションの指定の操作、スライダーの操作、開始ボタン２０５の操作、スライダーのタップ、運転モードの変更、風向、風量の指定、その他の操作等を示す。
受け付けた操作信号が、空調機制御アプリケーションの指定を示す場合、制御部１１７は、記憶部１２１から空調機制御アプリケーションを読み出す。次に、読み出した空調機制御アプリケーションを起動する。
【００５５】
受け付けた操作信号がスライダーの操作を示す場合、制御部１１７は、設定温度の変更の処理を行う。設定温度の変更処理の詳細については、後述する。
受け付けた操作信号が開始ボタン２０５の操作を示す場合、制御部１１７は、制御コマンドをサーバ装置１０３に対して送信する処理を行う。送信処理の詳細については、後述する。
【００５６】
受け付けた操作信号がスライダーのタップを示す場合、制御部１１７は、空調機制御情報テーブル１２３において、該当する予定時刻における運転モードを、タップにより指定された運転モードに変更する。
受け付けた操作信号が風向、風量の指定を示す場合、制御部１１７は、空調機制御情報テーブル１２３において、該当する予定時刻における風向又は風量を、指定された風向、風量に変更する。
【００５７】
受け付けた操作信号がその他の操作を示す場合、制御部１１７は、その他の処理を行う。
（空調機制御アプリケーションの動作）
空調機制御アプリケーションが起動されると、制御部１１７は、以下に示すように、空調機制御アプリケーションに従って、動作する。
【００５８】
制御部１１７の取得部１１７ａは、記憶部１２１から設定画面データを読み出し、空調機制御情報テーブル１２３を読み出し、温度範囲テーブル１２２を読み出す。
制御部１１７の表示制御部１１７ｄは、設定画面を生成し、入出力制御部１１８を介して、生成した設定画面をタッチパネル１２０に出力する。タッチパネル１２０は、設定画面を表示する。なお、設定画面の生成の詳細については、後述する。
【００５９】
制御部１１７は、利用者の操作があった場合には、上述したように、動作する。
（設定画面の生成と表示）
表示制御部１１７ｄは、設定画面２００ａに、複数の候補温度を示す。ここで、上限温度及び下限温度に関連する項目は、設定画面２００ａに示される候補温度のうち、上限温度以下かつ下限温度以上の推奨温度、又は、上限温度より大きく又は下限温度より小さい非推奨温度である。表示制御部１１７ｄは、上限温度及び下限温度の差分が範囲閾値以上である場合における推奨温度を、前記差分が前記閾値未満である場合における推奨温度とは、異なる態様により表示させる。又は、表示制御部１１７ｄは、前記差分が範囲閾値以上である場合における非推奨温度を、前記差分が範囲閾値未満である場合の非推奨温度とは、異なる態様により表示させる。
【００６０】
また、表示制御部１１７ｄは、設定画面２００ａに、長尺帯状に形成され、当該帯に沿って、当該帯の一端からの距離に応じて前記候補温度を示すレール部（温度バー）を配置する。レール部は、推奨温度に相当する推奨温度部と、非推奨温度に相当する非推奨温度部に区分される。上限温度及び下限温度に関連する項目は、推奨温度部又は非推奨温度である。
【００６１】
表示制御部１１７ｄは、上限温度及び下限温度の差分が範囲閾値以上である場合における推奨温度部を、前記差分が前記閾値未満である場合における推奨温度部とは、異なる態様により表示させる。又は、表示制御部１１７ｄは、前記差分が範囲閾値以上である場合における非推奨温度部を、前記差分が範囲閾値未満である場合の非推奨温度部とは、異なる態様により表示させる。
【００６２】
表示制御部１１７ｄは、異なる形態による表示を、異なる色、異なるサイズ、又は、異なる装飾を用いて、行うとしてもよい。
表示制御部１１７ｄは、上限温度及び下限温度の差分が範囲閾値以上である場合、利用者に対する警告として、設定画面２００ａにその旨を表示させ、警告音を発生させ、又は、携帯端末１０１を振動させる、としてもよい。
【００６３】
（設定温度の変更処理の詳細）
制御部１１７の判断部１１７ｃは、選択された設定温度が上限温度及び下限温度の範囲内にあるか否を判断する。制御部１１７は、範囲内にない場合、選択された設定温度を破棄する。範囲内にある場合、制御部１１７は、選択された前記設定温度を有効として、扱う。
【００６４】
より詳細には、受け付けた操作信号がスライダーの操作を示す場合、制御部１１７の取得部１１７ａは、タッチパネル１２０から、入出力制御部１１８を介して、スライダーの位置を受け取る。算出部１１７ｂは、受け取ったスライダーの位置を温度に変換する。なお、制御部１１７は、予め、スライダーの位置と温度とを対応付けて記憶している。
判断部１１７ｃは、変換により得られた温度が、温度範囲テーブル１２２において、該当する予定時刻に対応する上限温度及び下限温度の範囲内であるか否かを判断する。
【００６５】
変換により得られた温度が、上限温度及び下限温度の範囲内でない場合、表示制御部１１７ｄは、一定時間だけ、ビープ音を鳴らすように、音声制御部１１４を介して、スピーカ１１５を制御する。また、表示制御部１１７ｄは、一定時間だけ、振動をさせるように、入出力制御部１１８を介して、バイブレータ１２４を制御する。ここで、一定時間は、一例として、２秒間である。
【００６６】
ここで、利用者により変更された温度が、該当する予定時刻に対応する上限温度及び下限温度の範囲内にない場合、温度設定ボタンが占有する領域の背景色を変更してもよい。また、この場合、温度設定ボタンに表示される文字の色、サイズ、装飾、書体（フォント属性）を変更してもよいし、温度設定ボタンの形状や大きさを変更してもよい。さらに、エラーを示すダイアログ画面を表示してもよい。
【００６７】
このようにして、上限温度及び下限温度の範囲を超えて、設定温度が変更されたことを、利用者に対して、警告することができる。こうして、より安全な方向に利用者を誘導することができる。
変換により得られた温度が、上限温度及び下限温度の範囲内である場合、制御部１１７は、ビープ音を鳴らさず、バイブレータ１２４を振動させない。
【００６８】
制御部１１７は、記憶部１２１に記憶している空調機制御情報テーブル１２３内において、予定時刻に対応する設定温度を、変換により得られた温度に更新する。
（送信処理の詳細）
開始ボタン２０５が押下されると、制御部１１７は、記憶部１２１から空調機制御情報テーブル１２３を読み出す。次に、制御部１１７は、読み出した空調機制御情報テーブル１２３を含む制御コマンドを生成する。次に、制御部１１７は、生成した制御コマンドを、通信制御部１１３、無線通信部１１２、アンテナ１１１、ネットワーク１０４を介して、サーバ装置１０３に対して送信する。
【００６９】
ここでは、空調機制御情報テーブル１２３を含む制御コマンドを、ネットワーク１０４を介して、サーバ装置１０３に対して送信している。
しかし、この方法には、限定されない。次に示すようにしてもよい。
制御部１１７は、現在時刻が、記憶部１２１に記憶されている空調機制御情報テーブル１２３内の予定時刻と一致しているか否かを判断する。現在時刻が、記憶部１２１に記憶されている空調機制御情報テーブル内の予定時刻と一致していない場合、時間の経過を待って、現在時刻と予定時刻との一致判断の処理を繰り返す。
【００７０】
現在時刻が、記憶部１２１に記憶されている空調機制御情報テーブル１２３内の予定時刻と一致している場合、制御部１１７は、空調機制御情報テーブル１２３から、現在時刻に一致する予定時刻を含む設定情報を読み出す。次に、制御部１１７は、読み出した設定情報を含む制御コマンドを生成する。
次に、制御部１１７は、生成した制御コマンドを、通信制御部１１３、無線通信部１１２、アンテナ１１１、ネットワーク１０４を介して、サーバ装置１０３に対して送信する。又は、制御部１１７は、生成した制御コマンドを、ネットワーク１０４を介して、空調機１０２に対して送信してもよい。
【００７１】
（設定画面の生成処理の詳細）
制御部１１７の表示制御部１１７ｄは、設定画面２００ａの外周に沿って配置されるように、矩形の外枠を生成する。表示制御部１１７ｄは、設定画面２００ａの左部に配置されるように、縦軸２０２に沿って、縦方向に複数の目盛り値を生成する。ここで、表示制御部１１７ｄは、一例として図５（ａ）に示すように、縦軸２０２の目盛り値として、「３０°Ｃ」、「２５°Ｃ」及び「２０°Ｃ」を生成する。
【００７２】
次に、表示制御部１１７ｄは、温度範囲テーブル１２２に含まれる予定時刻毎に、以下の処理（ａ）〜（ｈ）を繰り返す。
（ａ）表示制御部１１７ｄは、温度範囲テーブル１２２から、当該予定時刻を抽出する。
（ｂ）表示制御部１１７ｄは、設定画面２００ａの中央部の下部側に配置されるように、抽出した予定時刻を用いて、設定画面２００ａの横軸２０３の一つの目盛り値を生成する。ここで、表示制御部１１７ｄは、一例として図５（ａ）に示すように、予定時刻として、「１１時」を生成し、配置する。
【００７３】
（ｃ）表示制御部１１７ｄは、設定画面２００ａの中央部に、横軸２０３の目盛り値に対応付けて配置されるように、長尺の帯状の温度バーの枠を生成する。ここでは、表示制御部１１７ｄは、一例として図５（ａ）に示すように、温度バー２０１ｃを生成する。
（ｄ）取得部１１７ａは、当該予定時刻に対応する上限温度及び下限温度を、温度範囲テーブル１２２から抽出する。
【００７４】
（ｅ）算出部１１７ｂは、抽出した上限温度と下限温度との差分を算出する。
（ｆ）判断部１１７ｃは、算出した差分と範囲閾値とを比較する。
差分が範囲閾値未満である場合、表示制御部１１７ｄは、温度バーの高温度範囲に、第１パターンの網かけを施し、温度バーの低温度範囲に、第１パターンの網かけを施す。ここで、第１パターンの網かけは、一例として、左斜め上方向のハッチングによる。
【００７５】
差分が範囲閾値以上である場合、表示制御部１１７ｄは、温度バーの高温度範囲に、第２パターンの網かけを施し、温度バーの低温度範囲に、第２パターンの網かけを施す。ここで、第２パターンの網かけは、一例として、左斜め上方向及び右斜め上方向のハッチングによる。
なお、第１パターンの網かけに加えて、さらに、高温度範囲及び低温度範囲に、第１色による着色を施す。かつ、第２パターンの網かけに加えて、さらに、高温度範囲及び低温度範囲に、第２色による着色を施してもよい。ここで、第１色と第２色とは、異なる色とする。第１色は、一例として、緑色であり、第２色は、一例として、赤色である。
【００７６】
また、第１パターンの網かけに代えて、高温度範囲及び低温度範囲に、第１色による着色を施す。かつ、第２パターンの網かけに代えて、高温度範囲及び低温度範囲に、第２色による着色を施してもよい。第１色と第２色とは、異なる色とする。第１色は、一例として、緑色であり、第２色は、一例として、赤色である。
（ｇ）表示制御部１１７ｄは、空調機制御情報テーブル１２３から、当該予定時刻に対応する運転モード及び設定温度を抽出する。
【００７７】
（ｈ）表示制御部１１７ｄは、抽出した運転モードを表したスライダーを生成する。次に、表示制御部１１７ｄは、温度バー上において、抽出した設定温度により示される位置に、生成したスライダーを配置する。
ここで、表示制御部１１７ｄは、運転モードが「冷房」である場合には、スライダー上に、「冷」を表示する。また、運転モードが「暖房」である場合には、スライダー上に、「暖」を表示する。運転モードが「ＯＦＦ」である場合には、スライダー上に、「ＯＦＦ」を表示する。
【００７８】
処理（ａ）〜（ｈ）の繰返しが終了すると、表示制御部１１７ｄは、開始ボタン２０５を生成し、生成した開始ボタンを設定画面２００ａの下部に配置する。
表示制御部１１７ｄは、生成した設定画面２００ａを、入出力制御部１１８を介して、タッチパネル１２０に対して出力する。設定画面２００ａは、タッチパネル１２０により、表示される。
【００７９】
（６）バイブレータ１２４
バイブレータ１２４は、モーターの軸に重心を偏らせた重りを取り付けて構成されている。バイブレータ１２４は、入出力制御部１１８を介して、制御部１１７による制御により、振動し、また、その振動を停止する。
（７）アンテナ１１１、無線通信部１１２及び通信制御部１１３
アンテナ１１１は、無線基地局との間で、無線信号の送受信を行う。無線通信部１１２は、送受信される無線信号の周波数選択や周波数変換等を行う。通信制御部１１３は、無線通信部１１２と制御部１１７との間で情報の送受信を行う。
【００８０】
（８）音声制御部１１４、スピーカ１１５及びマイク１１６
音声制御部１１４は、無線通信部１１２により受信された音声信号を復調する。また、スピーカ１１５に対して音声信号を出力する。さらに、マイク１１６より入力された音声信号を変調し、無線通信部１１２により送信させる。
スピーカ１１５は、音声等を出力する。マイク１１６は、音声等を入力する。
【００８１】
１．３  サーバ装置１０３
図６に、サーバ装置１０３の構成を示す。
サーバ装置１０３は、図６に示すように、制御部１４１、送受信部１４２及び記憶部１４３から構成されている。
サーバ装置１０３は、具体的には、マイクロプロセッサ、ＲＯＭ、ＲＡＭ、ハードディスクユニットなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、サーバ装置１０３は、その機能を達成する。
【００８２】
（１）記憶部１４３
記憶部１４３は、一例として、ハードディスクユニットにより構成されている。
記憶部１４３は、サーバ装置１０３において動作する上記のコンピュータプログラムを記憶している。また、記憶部１４３は、携帯端末１０１から受け取った空調機制御情報テーブルを記憶する。
【００８３】
（２）送受信部１４２
送受信部１４２は、ネットワーク１０４を介して、携帯端末１０１に接続され、ネットワーク１０５を介して、空調機１０２に接続されている。
送受信部１４２は、携帯端末１０１から、ネットワーク１０４を介して、空調機制御情報テーブルを含む制御コマンドを受け取る。次に、受け取った制御コマンドを制御部１４１に対して出力する。
【００８４】
送受信部１４２は、制御部１４１から、設定情報を含む制御コマンドを受け取る。次に、受け取った制御コマンドを、ネットワーク１０５を介して、空調機１０２に対して出力する。
（３）制御部１４１
制御部１４１は、携帯端末１０１から、ネットワーク１０４及び送受信部１４２を介して、空調機制御情報テーブルを含む制御コマンドを受け取る。次に、受け取った制御コマンドから、空調機制御情報テーブルを抽出する。次に、抽出した空調機制御情報テーブルを記憶部１４３に書き込む。
【００８５】
制御部１４１は、現在時刻が、記憶部１４３に記憶されている空調機制御情報テーブル内の予定時刻と一致しているか否かを判断する。現在時刻が、記憶部１４３に記憶されている空調機制御情報テーブル内の予定時刻と一致していない場合、時間の経過を待って、現在時刻と予定時刻との一致判断の処理を繰り返す。
現在時刻が、記憶部１４３に記憶されている空調機制御情報テーブル内の予定時刻と一致している場合、制御部１４１は、空調機制御情報テーブルから、現在時刻に一致する予定時刻を含む設定情報を読み出す。次に、制御部１４１は、読み出した設定情報を含む制御コマンドを生成する。
【００８６】
次に、制御部１４１は、生成した制御コマンドを、送受信部１４２及びネットワーク１０５を介して、空調機１０２に対して送信する。
１．４  空調機１０２
図７に、空調機１０２の構成を示す。
空調機１０２は、図示していない室外機に、接続配管を介して、接続されている。室外機は、圧縮機、室外送風機、室外熱交換機などを含んで構成されている。
【００８７】
空調機１０２は、図７に示すように、送受信部１６１、制御部１６２、入力部１６４及び空調機構１６３から構成されている。また、空調機１０２は、リモコン１６５により操作される。
空調機構１６３は、室内熱交換機、室内送風ファンなどを含んで構成されている。
制御部１６２は、具体的には、マイクロプロセッサ、ＲＯＭ、ＲＡＭなどから構成されるコンピュータシステムである。前記ＲＡＭには、コンピュータプログラムが記憶されている。前記マイクロプロセッサが、前記コンピュータプログラムに従って動作することにより、制御部１６２は、その機能を達成する。
【００８８】
送受信部１６１は、サーバ装置１０３から、ネットワーク１０５を介して、設定情報を含む制御コマンドを受信する。次に、送受信部１６１は、受信した制御コマンドを制御部１６２に対して、出力する。
制御部１６２は、送受信部１６１から制御コマンドを受け取る。次に、制御部１６２は、受け取った制御コマンドから、設定情報を抽出する。次に、制御部１６２は、抽出された抽出した設定情報を用いて、空調機構１６３が稼動するように、制御する。
【００８９】
空調機構１６３は、前記設定情報に含まれる運転モード、目標温度としての設定温度、風向、風量等に従って、稼動する。
１．５  空調機遠隔制御システム１０の動作
空調機遠隔制御システム１０の動作について、説明する。
（１）空調機遠隔制御システム１０の全体の動作
空調機遠隔制御システム１０の全体の動作について、図８〜図１０に示すシーケンス図を用いて説明する。
【００９０】
携帯端末１０１のタッチパネル１２０及び操作受付部１１９は、利用者の操作を受け付ける。受け付けた操作が、空調機制御アプリケーションの指定以外のその他の操作である場合（ステップＳ１０１で「その他の操作」）、制御部１１７は、その他の処理を行う（ステップＳ１１１）。
受け付けた操作が、空調機制御アプリケーションの指定である場合（ステップＳ１０１で「空調機制御アプリの指定」）、制御部１１７は、空調機制御アプリケーションを読み出す。次に、空調機制御アプリケーションを起動する（ステップＳ１０２）。次に、取得部１１７ａは、記憶部１２１から設定画面データを読み出し（ステップＳ１０３）、空調機制御情報テーブル１２３を読み出し（ステップＳ１０４）、温度範囲テーブル１２２を読み出す（ステップＳ１０５）。
【００９１】
次に、表示制御部１１７ｄは、設定画面を生成し、入出力制御部１１８を介して、生成した設定画面をタッチパネル１２０に出力する。タッチパネル１２０は、設定画面を表示する（ステップＳ１０６）。
次に、タッチパネル１２０及び操作受付部１１９は、利用者の操作を受け付ける。受け付けた操作が、スライダーの操作である場合（ステップＳ１０７で「スライダーの操作」）、制御部１１７は、制御をステップＳ１２１に移す。
【００９２】
受け付けた操作が、開始ボタン２０５の操作である場合（ステップＳ１０７で「開始ボタン」）、制御部１１７は、制御をステップＳ１４１に移す。
受け付けた操作が、スライダーのタップである場合（ステップＳ１０７で「スライダーのタップ」）、制御部１１７は、運転モードを変更し（ステップＳ１０８）、制御をステップＳ１０７に移す。
【００９３】
受け付けた操作が、風向、風量の指定である場合（ステップＳ１０７で「風向、風量の指定」）、制御部１１７は、風向又は風量を変更し（ステップＳ１０９）、制御をステップＳ１０７に移す。
受け付けた操作が、その他である場合（ステップＳ１０７で「その他」）、制御部１１７は、その他の処理を行う（ステップＳ１１０）。
【００９４】
タッチパネル１２０は、スライダーの位置を検出し、検出した位置を、入出力制御部１１８を介して、制御部１１７に対して出力する（ステップＳ１２１）。取得部１１７ａは、スライダーの位置を受け取り、算出部１１７ｂは、受け取ったスライダーの位置を温度に変換する（ステップＳ１２２）。
次に、判断部１１７ｃは、変換により得られた温度が、温度範囲テーブル１２２において、該当する予定時刻に対応する上限温度及び下限温度の範囲内であるか否かを判断する（ステップＳ１２３）。
【００９５】
変換により得られた温度が、上限温度及び下限温度の範囲内でない場合（ステップＳ１２３で「温度範囲外」）、表示制御部１１７ｄは、ビープ音を鳴らすように、スピーカ１１５を制御する（ステップＳ１２４）。次に、表示制御部１１７ｄは、振動をさせるように、入出力制御部１１８を介して、バイブレータ１２４を制御する（ステップＳ１２５）。
【００９６】
次に、制御部１１７は、記憶部１２１に記憶している空調機制御情報テーブル１２３内の設定情報を更新する（ステップＳ１２６）。次に、制御部１１７は、ステップＳ１０７に制御を移す。
変換により得られた温度が、上限温度及び下限温度の範囲内である場合（ステップＳ１２３で「温度範囲内」）、制御部１１７は、ステップＳ１２６に制御を移す。
【００９７】
開始ボタン２０５が押下されると（ステップＳ１０７で「開始ボタン」）、制御部１１７は、記憶部１２１から空調機制御情報テーブル１２３を読み出す。次に、制御部１１７は、読み出した空調機制御情報テーブル１２３を含む制御コマンドを生成する（ステップＳ１４１）。次に、制御部１１７は、生成した制御コマンドを、通信制御部１１３、無線通信部１１２、アンテナ１１１、ネットワーク１０４を介して、サーバ装置１０３に対して送信する（ステップＳ１４２）。
【００９８】
サーバ装置１０３の送受信部１４２は、携帯端末１０１から、ネットワーク１０４を介して、制御コマンドを受信する（ステップＳ１４２）。次に、制御部１４１は、制御コマンドから空調機制御情報テーブルを抽出し、抽出した空調機制御情報テーブルを記憶部１４３に書き込む（ステップＳ１４３）。
次に、サーバ装置１０３の制御部１４１は、現在時刻が、記憶部１４３に記憶されている空調機制御情報テーブル内の予定時刻と一致しているか否かを判断する（ステップＳ１４４）。現在時刻が、記憶部１４３に記憶されている空調機制御情報テーブル内の予定時刻と一致していない場合（ステップＳ１４４で「ＮＯ」）、ステップＳ１４４に戻って処理を繰り返す。
【００９９】
現在時刻が、記憶部１４３に記憶されている空調機制御情報テーブル内の予定時刻と一致している場合（ステップＳ１４４で「ＹＥＳ」）、制御部１４１は、空調機制御情報テーブルから、現在時刻に一致する予定時刻を含む設定情報を読み出す。次に、制御部１４１は、読み出した設定情報を含む制御コマンドを生成する（ステップＳ１４５）。
次に、制御部１４１は、生成した制御コマンドを、送受信部１４２及びネットワーク１０５を介して、空調機１０２に対して送信する（ステップＳ１４６）。
【０１００】
空調機１０２の送受信部１６１は、サーバ装置１０３から、ネットワーク１０５を介して、制御コマンドを受信する（ステップＳ１４６）。
空調機１０２の制御部１６２は、受信した制御コマンドから、設定情報を抽出する。次に、抽出した設定情報により、空調機構１６３が稼動するように、制御する（ステップＳ１４７）。
【０１０１】
（２）制御部１１７による設定画面の生成及び表示の動作
制御部１１７の表示制御部１１７ｄによる設定画面の生成及び表示の動作について、図１１に示すフローチャートを用いて説明する。
表示制御部１１７ｄは、設定画面２００ａの外枠を生成する（ステップＳ１５１）。次に、表示制御部１１７ｄは、縦軸２０２の目盛り値を生成する（ステップＳ１５２）。
【０１０２】
次に、温度範囲テーブル１２２に含まれる予定時刻毎に、以下のステップＳ１５４〜Ｓ１６５を繰り返す（ステップＳ１５３〜Ｓ１６６）。
表示制御部１１７ｄは、温度範囲テーブル１２２から、当該予定時刻を抽出する（ステップＳ１５４）。次に、表示制御部１１７ｄは、設定画面２００ａの横軸２０３の目盛り値を生成する（ステップＳ１５５）。
【０１０３】
次に、表示制御部１１７ｄは、温度バーの枠を生成する（ステップＳ１５６）。
次に、取得部１１７ａは、当該予定時刻に対応する上限温度及び下限温度を、温度範囲テーブル１２２から抽出する（ステップＳ１５７）。
次に、算出部１１７ｂは、抽出した上限温度と下限温度との差分を算出する（ステップＳ１５８）。
【０１０４】
次に、判断部１１７ｃは、算出した差分と範囲閾値とを比較する（ステップＳ１５９）。
差分が範囲閾値未満である場合（ステップＳ１５９で「未満」）、表示制御部１１７ｄは、温度バーの高温度範囲に、第１パターンの網かけを施し（ステップＳ１６０）、温度バーの低温度範囲に、第１パターンの網かけを施す（ステップＳ１６１）。
【０１０５】
差分が範囲閾値以上である場合（ステップＳ１５９で「以上」）、表示制御部１１７ｄは、温度バーの高温度範囲に、第２パターンの網かけを施し（ステップＳ１６２）、温度バーの低温度範囲に、第２パターンの網かけを施す（ステップＳ１６３）。
次に、表示制御部１１７ｄは、空調機制御情報テーブル１２３から、当該予定時刻に対応する運転モード及び設定温度を抽出する（ステップＳ１６４）。
【０１０６】
次に、表示制御部１１７ｄは、抽出した運転モードを表したスライダーを生成し、抽出した設定温度により示される位置に、生成したスライダーを配置する（ステップＳ１６５）。
ステップＳ１５３からＳ１６６までの繰返しが終了すると、次に、表示制御部１１７ｄは、開始ボタン２０５を生成する（ステップＳ１６７）。
【０１０７】
次に、表示制御部１１７ｄは、生成した設定画面２００ａを、入出力制御部１１８を介して、タッチパネル１２０に対して出力する。タッチパネル１２０は、設定画面２００ａを受け取り、受け取った設定画面２００ａを表示する（ステップＳ１６８）。
これにより、設定画面２００ａの生成及び表示の動作を終了する。
以上説明したように、携帯端末から空調機の設定温度を時間帯ごとにきめ細かく設定できる。また、設定温度の変動幅に制限を設け、体調不良や電気代の増大を回避することが可能である。
【０１０８】
また、上限温度及び下限温度に関連する項目についての表示の形態により、利用者は、上限温度及び下限温度の差分が閾値以上であるか否かを知ることができる。前記差分が範囲閾値以上である場合には、設定温度として選択できる範囲が広い。このため、空調機の周辺環境温度を急激に変化させる操作がされる可能性が高い。このような場合に、急激な温度変化を引き起こす原因となる操作をしないように、利用者に警告することができる。
【０１０９】
１．６  変形例１
空調機遠隔制御システム１０の変形例１としての空調機遠隔制御システム１０ａについて、説明する。
空調機遠隔制御システム１０ａは、空調機遠隔制御システム１０と同様の構成を有する。ここでは、空調機遠隔制御システム１０との相違点を中心として説明する。
【０１１０】
空調機遠隔制御システム１０ａにおいては、複数の予定時刻における上限温度を、複数の設定温度の中の最低の設定温度に基づいて、リアルタイムに設定する。また、複数の予定時刻における下限温度を、複数の設定温度の中の最高の設定温度に基づいて、リアルタイムに設定する。これにより、上限温度が高くなりすぎないように、また、下限温度が低くなりすぎないように、できる。
【０１１１】
さらに、選択された設定温度が、上限温度と下限温度の範囲内にない場合に、選択された設定温度を、強制的に上限温度の下限温度の範囲内の温度に変更する。このように、利用者の操作を制限する。
図１２（ａ）に、設定画面２００ｃを示す。この図に示すように、利用者は、温度設定ボタン１０４ａを、設定画面２００ｃの下方向にスライド操作して、温度設定ボタン１０４ｄにより示される位置に移動させる。温度設定ボタン１０４ｄは、下限温度２０８ｙより低い温度位置に移動している。
【０１１２】
この場合に、制御部１１７は、温度設定ボタン１０４ｄが、下限温度２０８ｙより低い温度位置に存在するか否かを判断する。温度設定ボタン１０４ｄは、下限温度２０８ｙより低い温度位置に存在する。このため、制御部１１７は、温度設定ボタン１０４ｄの位置を強制的に変更する。制御部１１７は、図１２（ｂ）に示すように、下限温度２０８ｙに最も近く、下限温度２０８ｙより高い温度を新たな設定温度とする。次に、制御部１１７は、新たな設定温度を示す温度位置に、新たな温度設定ボタン１０４ｅを表示させる。なお、新たな設定温度を下限温度としてもよい。
【０１１３】
ここで、変更後の温度設定ボタンが、上限温度２０８ｘより高い温度位置に存在する場合には、制御部１１７は、変更後の温度設定ボタンの位置を強制的に変更する。制御部１１７は、上限温度２０８ｘに最も近く、上限温度２０８ｘより低い温度を新たな設定温度とする。次に、制御部１１７は、新たな設定温度を示す温度位置に、新たな温度設定ボタンを表示させる。なお、新たな設定温度を上限温度としてもよい。
【０１１４】
また、ここでは、温度を整数として扱うものとする。
次に、空調機遠隔制御システム１０ａにおける動作について、図１３及び図１４に示すシーケンス図を用いて説明する。
図１３に示すシーケンス図は、実施の形態１の空調機遠隔制御システム１０における動作を示す図８のシーケンス図と、ほぼ同一である。相違点は、図１３において、図８のステップＳ１０５に代えて、ステップＳ１０５ａを用いている点である。
【０１１５】
ステップＳ１０４の次のステップＳ１０５ａにおいて、制御部１１７は、予定時刻毎に、次の式により、リアルタイムに、上限温度及び下限温度を設定する。
上限温度＝ＭＩＮ（複数の予定時刻における設定温度）＋ｎ１    （式１）
下限温度＝ＭＡＸ（複数の予定時刻における設定温度）−ｎ２    （式２）
ここで、ｎ１及びｎ２は、５度以下が適切である。
【０１１６】
制御部１１７は、各予定時刻について、算出した上限温度及び下限温度を、記憶部１２１に記憶している温度範囲テーブル１２２の対応する温度範囲情報に書き込む。
上記において、リアルタイムとは、各予定時刻における設定温度が変更される都度であることを意味している。また、温度設定ボタンがスライド操作されるその瞬間であるとしてもよい。また、式１及び式２により、上限温度及び下限温度を設定するタイミングを、利用者が温度設定ボタンのスライド操作を終了したとき、としてもよい。また、利用者が温度設定ボタンのスライド操作を終了した後、一定時間が経過したとき、としてもよい。
【０１１７】
また、ＭＩＮ（ａ、ｂ、ｃ）は、ａ、ｂ、ｃのうち、最小値を選択することを示し、ＭＡＸ（ａ、ｂ、ｃ）は、ａ、ｂ、ｃのうち、最大値を選択することを示す。
一例として、図４に示すように、予定時刻１１時、０時、１時、２時における設定温度は、それぞれ、２２度、２５度、２５度、２２度であるので、式１及び式２を用いて、
上限温度＝ＭＩＮ（２２度、２５度、２５度、２２度）＋ｎ１
＝２２度＋５度
＝２７度
下限温度＝ＭＡＸ（２２度、２５度、２５度、２２度）−ｎ２
＝２５度−５度
＝２０度
となる。なお、ｎ１＝ｎ２＝５度としている。
【０１１８】
図１４に示すシーケンス図は、実施の形態１の空調機遠隔制御システム１０における動作を示す図９のシーケンス図と、ほぼ同一である。相違点は、図１４において、図８のステップＳ１２５の後に、ステップＳ１２５ａ及びＳ１２５ｂを挿入している点である。
ステップＳ１２５の次のステップにおいて、制御部１１７は、温度範囲内の温度を新たに設定する（ステップＳ１２５ａ）。次に、制御部１１７は、新たな設定温度を示す温度位置に、新たな温度設定ボタンを表示させる（ステップＳ１２５ｂ）。
【０１１９】
１．７  変形例２
空調機遠隔制御システム１０の変形例２としての空調機遠隔制御システム１０ｂについて、説明する。
空調機遠隔制御システム１０ｂは、空調機遠隔制御システム１０と同様の構成を有する。ここでは、空調機遠隔制御システム１０との相違点を中心として説明する。
【０１２０】
空調機遠隔制御システム１０ｂにおいては、各予定時刻における上限温度を、当該予定時刻の両側に隣接する２つの予定時刻についての設定温度に基づいて、リアルタイムに設定する。また、各予定時刻における下限温度を、当該予定時刻の両側に隣接する２つの予定時刻についての設定温度に基づいて、リアルタイムに設定する。これにより、上限温度が高くなりすぎないように、また、下限温度が低くなりすぎないように、できる。
【０１２１】
図１５に設定画面２００ｅを示すように、予定時刻１１時、０時及び１時における設定温度は、それぞれ、２２度、２３度、２４度であるとする。
制御部１１７は、図１６に示すフローチャートのように、予定時刻「０時」について、次の式により、リアルタイムに、上限温度及び下限温度を設定する。
上限温度＝ＭＩＮ（右隣の設定温度＋ｎ１、左隣の設定温度＋ｎ２）      （式３）
（ステップＳ１７１）
下限温度＝ＭＡＸ（右隣の設定温度−ｎ３、左隣の設定温度−ｎ４）      （式４）
（ステップＳ１７２）
ここで、ｎ１、ｎ２、ｎ３及びｎ４は、５度以下が適切である。
【０１２２】
制御部１１７は、一つの予定時刻について、算出した上限温度及び下限温度を、記憶部１２１に記憶している温度範囲テーブル１２２の対応する温度範囲情報に書き込む。
図１６に示すフローチャートにおける両ステップＳ１７１、Ｓ１７２は、図８に示すフローチャートのステップＳ１０５の後に、用いればよい。
一例として、図１５に示すように、予定時刻１１時、０時及び１時における設定温度は、それぞれ、２２度、２３度及び２４度であるので、式３及び式４を用いて、
予定時刻「０時」における上限温度及び下限温度は、
上限温度＝ＭＩＮ（２４＋３、２２＋３）
＝ＭＩＮ（２７、２５）
＝２５度
下限温度＝ＭＡＸ（２４−３、２２−３）
＝ＭＡＸ（２１、１９）
＝２１度
となる。なお、ｎ１＝ｎ２＝ｎ３＝ｎ４＝５度としている。
【０１２３】
上記において、リアルタイムとは、各予定時刻における設定温度が変更される都度であることを意味している。また、温度設定ボタンがスライド操作されるその瞬間であるとしてもよい。また、式３及び式４により、上限温度及び下限温度を設定するタイミングを、利用者が温度設定ボタンのスライド操作を終了したとき、としてもよい。また、利用者が温度設定ボタンのスライド操作を終了した後、一定時間が経過したとき、としてもよい。
【０１２４】
１．８  変形例３
空調機遠隔制御システム１０の変形例３としての空調機遠隔制御システム１０ｃについて、説明する。
空調機遠隔制御システム１０ｃは、空調機遠隔制御システム１０と同様の構成を有する。ここでは、空調機遠隔制御システム１０との相違点を中心として説明する。
【０１２５】
空調機遠隔制御システム１０ｃでは、携帯端末１０１のタッチパネル１２０に表示される設定画面の形態が空調機遠隔制御システム１０とは異なる。
（ａ）空調機遠隔制御システム１０ｃでは、携帯端末１０１のタッチパネル１２０に表示される設定画面の形態が空調機遠隔制御システム１０とは異なるとしてもよい。
制御部１１７は、図１７に示す設定画面２００ｆを生成してもよい。
【０１２６】
設定画面２００ｆは、図５（ａ）に示す設定画面２００ａと類似している。
設定画面２００ｆにおいては、予定時刻１１時、０時及び１時における上限温度及び下限温度は、全て一致しているとする。
設定画面２００ｆは、設定画面２００ａと同様に、縦軸２０２ｆ、横軸２０３、温度バー２０１ａ、２０１ｂ、２０１ｃ、温度設定ボタン２０４ａ、２０４ｂ、２０４ｃ及び開始ボタン２０５を含んでいる。
【０１２７】
設定画面２００ｆでは、温度バー２０１ａ、２０１ｂ及び２０１ｃにおいて、上限温度及び下限温度が表示されていない。
一方、縦軸２０２ｆに表示されている温度表示のうち、温度表示２１１については、その他の温度表示と異なる文字書体を用いて、表現されている。
具体的には、温度表示２１１は、斜体（イタリック体）の「２５°Ｃ」、「２６°Ｃ」及び「２７°Ｃ」を含んでいる。その他の温度表示では、斜体ではないゴシック体により表示されている。このように、斜体により表現されている温度表示の範囲が、上限温度と下限温度の間の温度であることを示している。
【０１２８】
このように、文字書体を用いて、推奨温度範囲を表現してもよい。
（ｂ）空調機遠隔制御システム１０ｃでは、携帯端末１０１のタッチパネル１２０に表示される設定画面の形態が空調機遠隔制御システム１０とは異なるとしてもよい。
制御部１１７は、図１８に示す設定画面２００ｇを生成してもよい。
設定画面２００ｇは、図５（ａ）に示す設定画面２００ａと類似している。
【０１２９】
設定画面２００ｇは、設定画面２００ａと同様に、縦軸２０２、横軸２０３、温度バー２０１ｇ、２０１ｈ、２０１ｉ、温度設定ボタン２０４ａ、２０４ｂ、２０４ｃ及び開始ボタン２０５を含んでいる。
設定画面２００ｇでは、温度バー２０１ｇは、上限温度と下限温度の間のみを表示する。温度バー２０１ｂ及び２０１ｃにおいても同様である。この点において、図５（ａ）に示す設定画面２００ａと相違している。
【０１３０】
また、温度バー２０１ｇについては、上限温度と下限温度の差分が範囲閾値以上であるので、温度バー２０１ｇの全体について、第１のパターンの装飾が施されている。一方、温度バー２０１ｂ及び２０１ｃについては、上限温度と下限温度の差分が範囲閾値未満である。このため、温度バー２０１ｂ及び２０１ｃの全体について、第２のパターンの装飾が施されている。
【０１３１】
図１８においては、第１のパターンの装飾は、右斜め上方向のハッチング（網かけ）であり、第２のパターンの装飾は、ハッチングを施さないものである。
なお、第１のパターンの装飾は、右斜め上方向及び左斜め上のハッチング（網かけ）であり、第２のパターンの装飾は、左斜め上のハッチング（網かけ）であるとしてもよい。  また、第１のパターンの装飾は、第１色による着色であり、第２のパターンの装飾は、第２色による着色であるとしてもよい。ここで、第１色は、赤色であり、第２色は、緑色であるとしてもよい。
【０１３２】
このように、レール部の長さにより、推奨温度範囲を表現してもよい。
（ｃ）空調機遠隔制御システム１０ｃでは、携帯端末１０１のタッチパネル１２０に表示される設定画面の形態が空調機遠隔制御システム１０とは異なるとしてもよい。
制御部１１７は、図１９に示す設定画面２００ｈを生成してもよい。
設定画面２００ｈは、図５（ａ）に示す設定画面２００ａと類似している。
【０１３３】
設定画面２００ｈは、設定画面２００ａと同様に、縦軸２０２、横軸２０３、温度バー２０１ｊ、２０１ｋ、２０１ｍ、温度設定ボタン２０４ａ、２０４ｂ、２０４ｃ及び開始ボタン２０５を含んでいる。
設定画面２００ｇでは、温度バー２０１ｊは、上限温度２０８ｘと下限温度２０８ｙの間の推奨温度範囲において、広い幅の帯状に形成され、上限温度２０８ｘ以上の高温度範囲、及び下限温度２０８ｙ以下の低温度範囲において、狭い幅の帯状に形成されている。
【０１３４】
温度バー２０１ｋ及び２０１ｍにおいても同様である。
また、温度バー２０１ｊについては、上限温度と下限温度の差分が範囲閾値以上であるので、推奨温度範囲について、第１のパターンの装飾が施されている。一方、高温度範囲及び低温度範囲について、第２のパターンの装飾が施されている。また、推奨温度範囲２１２ａの幅は、推奨温度範囲２１２ｂの幅及び推奨温度範囲２１２ｃの幅より、狭い。
【０１３５】
また、温度バー２０１ｋ及び２０１ｍについては、上限温度と下限温度の差分が範囲閾値未満である。このため、高温度範囲、推奨温度範囲及び低温度範囲について、第２のパターンの装飾が施されている。
図１９においては、第１のパターンの装飾は、右斜め上方向のハッチング（網かけ）であり、第２のパターンの装飾は、ハッチングを施さないものである。
【０１３６】
なお、第１のパターンの装飾は、右斜め上方向及び左斜め上のハッチング（網かけ）であり、第２のパターンの装飾は、左斜め上のハッチング（網かけ）であるとしてもよい。  また、第１のパターンの装飾は、第１色による着色であり、第２のパターンの装飾は、第２色による着色であるとしてもよい。ここで、第１色は、赤色であり、第２色は、緑色であるとしてもよい。
【０１３７】
このように、レール部の幅により、推奨温度範囲を表現してもよい。
（ｄ）空調機遠隔制御システム１０ｃでは、携帯端末１０１に代えて、図２０に示す携帯端末１０１ａを備えている、としてもよい。
携帯端末１０１ａは、携帯端末１０１と同様の構成を有しているが、携帯端末１０１とは、次の点において相違している。
【０１３８】
携帯端末１０１ａは、図２０に示すように、タッチパネル１２０の表示面と同一面上に、物理的なボタン群を備えている。ボタン群は、上キー１１９ａ、下キー１１９ｂ、左キー１１９ｃ、右キー１１９ｄ及び決定キー１１９ｅから構成されている。
また、タッチパネル１２０の表示面には、図１８に示す設定画面２００ｇと同一の設定画面が表示されている。なお、タッチパネル１２０の表示面には、図５（ａ）、図１７、又は図１９に示す設定画面が表示されている、としてもよい。
【０１３９】
利用者により、左キー１１９ｃが押下されると、制御部１１７は、現在選択されている温度設定ボタンの左側に配置されている温度設定ボタンを選択する。現在選択されている温度設定ボタンの左側に、温度設定ボタンが存在しない場合には、現在選択されている温度設定ボタンの選択状態は、変更されない。
利用者により、右キー１１９ｄが押下されると、制御部１１７は、現在選択されている温度設定ボタンの右側に配置されている温度設定ボタンを選択する。現在選択されている温度設定ボタンの右側に、温度設定ボタンが存在しない場合には、現在選択されている温度設定ボタンの選択状態は、変更されない。
【０１４０】
このようにして、左キー１１９ｃ又は右キー１１９ｄにより、操作対象である温度設定ボタンを切り替える。
利用者により、上キー１１９ａが一回、押下されると、制御部１１７は、選択されている温度設定ボタンを、一度分だけ、上方向に移動させる。このとき、制御部１１７は、設定温度に、一度を加算する。温度設定ボタンが、温度範囲の上端に到達すると、それ以上、温度設定ボタンは、移動しない。
【０１４１】
利用者により、下キー１１９ｂが一回、押下されると、制御部１１７は、選択されている温度設定ボタンを、一度分だけ、下方向に移動させる。このとき、制御部１１７は、設定温度から、一度を減じる。温度設定ボタンが、温度範囲の下端に到達すると、それ以上、温度設定ボタンは、移動しない。
このようにして、上キー１１９ａ又は下キー１１９ｂにより、温度設定ボタンを操作して温度を変更する。
【０１４２】
利用者により、決定キー１１９ｅが押下されると、制御部１１７は、空調機制御情報テーブルを含む制御コマンドを送信する。
１．９  変形例４
空調機遠隔制御システム１０の変形例４としての空調機遠隔制御システム１０ｄについて、説明する。
【０１４３】
空調機遠隔制御システム１０ｄは、空調機遠隔制御システム１０と同様の構成を有する。ここでは、空調機遠隔制御システム１０との相違点を中心として説明する。
空調機遠隔制御システム１０ｄでは、携帯端末１０１のタッチパネル１２０に表示される設定画面が空調機遠隔制御システム１０とは異なる。
（１）空調機遠隔制御システム１０ｄの携帯端末１０１は、図２１に示す設定画面２００ｉを表示してもよい。
【０１４４】
ここで、上限温度及び下限温度に関連する項目は、上限温度及び下限温度の表示に対応付けて、設定画面２００ｉに表示され、上限温度及び下限温度の差分が範囲閾値以上か否かを示す判定表示である。表示制御部１１７ｄは、前記差分が範囲閾値以上である場合に、判定表示を、範囲閾値未満である場合とは、異なる態様により表示させる。
表示制御部１１７ｄは、設定画面２００ｉに、利用者の入力により設定温度の選択を受け付け、選択された設定温度を表示するフィールド、及び、上限温度及び下限温度の差分が範囲閾値以上であるか否かを示す判定表示を対応付けて配置する。
【０１４５】
表示制御部１１７ｄは、前記差分が範囲閾値以上である場合に、判定表示を、範囲閾値未満である場合とは、異なる態様により表示させる。
より詳細には、設定画面２００ｉにおいては、その中央部に、複数の表示行が縦方向に配置され、下部に、開始ボタン２０５が配置されている。各表示行は、横方向に、予定時刻の表示、設定温度を入力し表示するための入力表示フィールド、温度の単位表示、範囲閾値との比較結果を示す判定表示を含む。
【０１４６】
図２１に示すように、設定画面２００ｉの第１表示行は、予定時刻２３６「１１時」、入力表示フィールド２３１「２３」、単位表示「°Ｃ」及び判定表示２３４を含む。また、設定画面２００ｉの第３表示行は、予定時刻「１時」、入力表示フィールド２３３「２５」、単位表示「°Ｃ」及び判定表示２３５を含む。
判定表示２３４と判定表示２３５とは異なる形態を有している。
【０１４７】
ここでは、第１表示行に対応する予定時刻においては、上限温度と下限温度との差分が範囲閾値未満である。一方、第３表示行に対応する予定時刻においては、上限温度と下限温度との差分が範囲閾値以上である。判定表示２３４と判定表示２３５とは異なる形態を有している。このため、利用者は、判定表示により、当該表示行に対応する上限温度と下限温度との差分が、範囲閾値以上であるか否かを知ることができる。
【０１４８】
（設定画面２００ｉの生成処理の詳細）
制御部１１７による設定画面２００ｉの生成処理の詳細について説明する。
制御部１１７の表示制御部１１７ｄは、設定画面２００ｉの外周に沿って配置されるように、矩形の外枠を生成する。
表示制御部１１７ｄは、温度範囲テーブル１２２に含まれる予定時刻毎に、以下の処理（ａ）〜（ｇ）を繰り返す。
【０１４９】
（ａ）取得部１１７ａは、温度範囲テーブル１２２から、当該予定時刻、当該予定時刻に対応する上限温度及び下限温度を抽出する。
（ｂ）取得部１１７ａは、空調機制御情報テーブル１２３から、当該予定時刻に対応する設定温度を抽出する。
（ｃ）表示制御部１１７ｄは、設定画面２００ｉの中央部において、各項目を表示する表示行を改行するように、制御する。
【０１５０】
（ｄ）表示制御部１１７ｄは、当該表示行において、前記予定時刻、前記設定温度を表示した入力表示フィールド及び単位を配置するように、制御する。
（ｅ）算出部１１７ｂは、抽出した上限温度と下限温度との差分を算出する。
（ｆ）判断部１１７ｃは、算出した差分と範囲閾値とを比較する。
（ｇ）差分が範囲閾値未満である場合、表示制御部１１７ｄは、差分が範囲閾値未満であることを示す判定表示を当該表示行に配置する。一方、差分が範囲閾値以上である場合、表示制御部１１７ｄは、差分が範囲閾値以上であることを示す判定表示を当該表示行に配置する。
【０１５１】
処理（ａ）〜（ｇ）の繰返しが終了すると、表示制御部１１７ｄは、開始ボタン２０５を生成し、生成した開始ボタンを設定画面２００ｉの下部に配置する。
表示制御部１１７ｄは、生成した設定画面２００ｉを、入出力制御部１１８を介して、タッチパネル１２０に対して出力する。設定画面２００ｉは、タッチパネル１２０により、表示される。
【０１５２】
以上説明したように、各表示行には、判定表示が含まれている。利用者は、判定表示を見ることにより、当該表示行に対応する上限温度と下限温度との差分が、範囲閾値以上であるか否かを知ることができる。
また、表示制御部１１７ｄは、設定画面２００ｉにおいて、非推奨温度範囲の設定温度が入力された場合に、設定画面２００ｉの一部を、それ以外の部分とは異なる背景色、フォント属性（文字色、サイズ、装飾）、アイコンに変更してもよい。
【０１５３】
また、例えば、以下のようにして、操作制限を行ってもよい。
制御部１１７は、設定画面２００ｉにおいて、非推奨温度範囲の設定温度が入力された場合に、入力される前の状態を維持するよう制御する。
（２）空調機遠隔制御システム１０ｄの携帯端末１０１は、図２２に示す設定画面２００ｊを表示してもよい。
【０１５４】
表示制御部１１７ｄは、設定画面２００ｊに、一の候補温度を表示するフィールド、操作されたときに前記候補温度に一度を加算して設定温度とするプラスボタン、操作されたときに前記候補温度から一度を減算して設定温度とするマイナスボタン、及び、上限温度及び下限温度の差分が範囲閾値以上であるか否かを示す判定表示を対応付けて配置する。表示制御部１１７ｄは、前記差分が範囲閾値以上である場合に、判定表示を、範囲閾値未満である場合とは、異なる態様により表示させる。
【０１５５】
より詳細には、設定画面２００ｊにおいては、その中央部に、複数の表示行が縦方向に配置され、下部に、開始ボタン２０５が配置されている。各表示行は、横方向に、予定時刻の表示、マイナスボタン、設定温度を表示するための表示フィールド、温度の単位表示、プラスボタン、閾値との比較結果を示す判定表示を含む。
図２２に示すように、設定画面２００ｊの第１表示行は、予定時刻２４６「１１時」、マイナスボタン２４１「−」、表示フィールド２４２「２３」、単位表示「°Ｃ」、プラスボタン２４３「＋」及び判定表示２４４を含む。また、設定画面２００ｊの第３表示行は、予定時刻「１時」、マイナスボタン「−」、表示フィールド「２３」、単位表示「°Ｃ」、プラスボタン「＋」及び判定表示２４５を含む。
【０１５６】
判定表示２４４と判定表示２４５とは異なる形態を有している。
ここでは、第１表示行に対応する予定時刻においては、上限温度と下限温度との差分が範囲閾値未満である。一方、第３表示行に対応する予定時刻においては、上限温度と下限温度との差分が範囲閾値以上である。判定表示２４４と判定表示２４５とは異なる形態を有している。このため、利用者は、判定表示により、当該表示行に対応する上限温度と下限温度との差分が、範囲閾値以上であるか否かを知ることができる。
【０１５７】
（設定画面２００ｊの生成処理の詳細）
制御部１１７による設定画面２００ｊの生成処理の詳細について説明する。
制御部１１７の表示制御部１１７ｄは、設定画面２００ｊの外周に沿って配置されるように、矩形の外枠を生成する。
表示制御部１１７ｄは、温度範囲テーブル１２２に含まれる予定時刻毎に、以下の処理（ａ）〜（ｇ）を繰り返す。
【０１５８】
（ａ）取得部１１７ａは、温度範囲テーブル１２２から、当該予定時刻、当該予定時刻に対応する上限温度及び下限温度を抽出する。
（ｂ）取得部１１７ａは、空調機制御情報テーブル１２３から、当該予定時刻に対応する設定温度を抽出する。
（ｃ）表示制御部１１７ｄは、設定画面２００ｉの中央部において、各項目を表示する表示行を改行するように、制御する。
【０１５９】
（ｄ）表示制御部１１７ｄは、当該表示行において、前記予定時刻、前記マイナスボタン、前記設定温度を表示した表示フィールド、単位及びプラスボタンを配置するように、制御する。
（ｅ）算出部１１７ｂは、抽出した上限温度と下限温度との差分を算出する。
（ｆ）判断部１１７ｃは、算出した差分と範囲閾値とを比較する。
【０１６０】
（ｇ）差分が範囲閾値未満である場合、表示制御部１１７ｄは、差分が範囲閾値未満であることを示す判定表示を当該表示行に配置する。一方、差分が範囲閾値以上である場合、表示制御部１１７ｄは、差分が範囲閾値以上であることを示す判定表示を当該表示行に配置する。
処理（ａ）〜（ｇ）の繰返しが終了すると、表示制御部１１７ｄは、開始ボタン２０５を生成し、生成した開始ボタンを設定画面２００ｊの下部に配置する。
【０１６１】
表示制御部１１７ｄは、生成した設定画面２００ｊを、入出力制御部１１８を介して、タッチパネル１２０に対して出力する。設定画面２００ｊは、タッチパネル１２０により、表示される。
以上説明したように、各表示行には、判定表示が含まれている。利用者は、判定表示を見ることにより、当該表示行に対応する上限温度と下限温度との差分が、範囲閾値以上であるか否かを知ることができる。
【０１６２】
また、表示制御部１１７ｄは、非推奨温度範囲の設定温度が入力された場合に、設定画面の一部を、それ以外の部分とは異なる背景色、フォント属性（文字色、サイズ、装飾）、アイコンを変更してもよい。
さらに、表示制御部１１７ｄは、プラスボタン又はマイナスボタンを押下することにより、現在の設定温度が、非推奨温度範囲（又は、推奨温度範囲）に切り替わる境界における温度である場合に、プラスボタン又はマイナスボタンの背景色、フォント属性（文字色、サイズ、装飾）、アイコンを変更してもよい。
【０１６３】
また、例えば、以下のようにして、操作制限を行ってもよい。
プラスボタン又はマイナスボタンを押下することにより、現在の設定温度が、推奨温度範囲から非推奨温度範囲に切り替わる境界における温度である場合に、制御部１１７は、プラスボタン又はマイナスボタンを非表示、又は、グレー表示するなどする。この結果、制御部１１７は、プラスボタン又はマイナスボタンの押下を禁止するよう制御する。
【０１６４】
（３）空調機遠隔制御システム１０ｄの携帯端末１０１は、図２３に示す設定画面２００ｋを表示してもよい。
表示制御部１１７ｄは、複数の候補温度を示すため、設定画面２００ｋに、扇状に形成された表示領域の外周円弧に沿って、当該外周円弧の一端からの距離に応じて前記候補温度を示す扇型表示計を配置する。表示領域は、推奨温度に相当する推奨温度部と、非推奨温度に相当する非推奨温度部に区分される。上限温度及び下限温度に関連する項目は、推奨温度部、又は、非推奨温度部である。
【０１６５】
表示制御部１１７ｄは、上限温度及び下限温度の差分が範囲閾値以上である場合における推奨温度部を、前記差分が範囲閾値未満である場合における推奨温度部とは、異なる態様により表示させる。又は、表示制御部１１７ｄは、前記差分が範囲閾値以上である場合における非推奨温度部を、前記差分が範囲閾値未満である場合の非推奨温度部とは、異なる態様により表示させる。
【０１６６】
表示制御部１１７ｄは、異なる形態による表示を、異なる色、異なる装飾、又は異なる色及び異なる装飾を用いて、行うとしてもよい。
より詳細には、設定画面２００ｋにおいては、その中央部に、複数の表示列が横方向に配置され、下部に、開始ボタン２０５が配置されている。各表示列は、縦方向に、範囲閾値との比較結果を示す判定表示、回転表示計（又は、扇型表示計、ボリュームコントローラとも呼ぶ。）及び予定時刻を含む。
【０１６７】
図２３に示すように、設定画面２００ｋの第１表示列は、判定表示２５６、回転表示計２５１及び予定時刻２５８「１１時」を含む。また、設定画面２００ｋの第３表示列は、判定表示２５７、回転表示計２５３及び予定時刻「１時」を含む。判定表示２５６と判定表示２５７とは異なる形態を有している。
ここで、回転表示計２５１は、扇状に形成され、当該扇の外周の円弧に沿って、温度を示す複数の目盛りが刻まれ、前記複数の目盛りは、空調機１０２の周辺環境温度の範囲に対応している。
【０１６８】
回転表示計２５１には、針状に形成され、前記扇の要を中心として、回転可能に、操作部２５５が配置されている。操作部２５５が指す目盛りにより、設定温度が示される。
回転表示計２５１においては、上限温度２５９ｘ及び下限温度２５９ｙにより、低温度領域２５６ｙ、推奨温度領域２５４及び高温度領域２５６ｘに区分されている。ここで、低温度領域２５６ｙは、下限温度２５９ｙより低い温度領域である。推奨温度領域２５４は、下限温度２５９ｙ以上、かつ、上限温度２５９ｘ以下の温度領域である。高温度領域２５６ｘは、上限温度２５９ｘより高い温度領域である。ここで、低温度領域２５６ｙ及び高温度領域２５６ｘを非推奨温度領域と呼ぶ場合もある。
【０１６９】
図２３に示すように、第１表示列に対応する予定時刻においては、上限温度と下限温度との差分が範囲閾値未満である。一方、第３表示列に対応する予定時刻においては、上限温度と下限温度との差分が範囲閾値以上である。判定表示２５６と判定表示２５７とは異なる形態を有している。このため、利用者は、判定表示により、当該表示行に対応する上限温度と下限温度との差分が、範囲閾値以上であるか否かを知ることができる。
【０１７０】
制御部１１７は、回転表示計において、上限温度と下限温度との差分が範囲閾値以上である場合における非推奨温度領域（低温度領域及び高温度領域）を、前記差分が前記範囲閾値未満である場合の非推奨温度領域（低温度領域及び高温度領域）とは、異なる色又は異なる装飾を用いて表示させる。
なお、制御部１１７は、回転表示計において、上限温度と下限温度との差分が範囲閾値以上である場合における推奨温度領域を、前記差分が前記範囲閾値未満である場合の推奨温度領域とは、異なる色又は異なる装飾を用いて表示させるとしてもよい。
【０１７１】
制御部１１７は、操作部２５５に接触する利用者の操作体の移動に伴って、操作部２５５を回転させる。操作体がタッチパネル１２０から離れると、制御部１１７は、操作部２５５の回転を停止させる。このとき、操作部２５５により示される目盛りにより、設定温度が選択され、制御部１１７は、選択された設定温度を受け付ける。
（設定画面２００ｋの生成処理の詳細）
制御部１１７による設定画面２００ｋの生成処理の詳細について説明する。
【０１７２】
制御部１１７の表示制御部１１７ｄは、設定画面２００ｋの外周に沿って配置されるように、矩形の外枠を生成する。
表示制御部１１７ｄは、温度範囲テーブル１２２に含まれる予定時刻毎に、以下の処理（ａ）〜（ｇ）を繰り返す。
（ａ）取得部１１７ａは、温度範囲テーブル１２２から、当該予定時刻、当該予定時刻に対応する上限温度及び下限温度を抽出する。
【０１７３】
（ｂ）取得部１１７ａは、空調機制御情報テーブル１２３から、当該予定時刻に対応する設定温度を抽出する。
（ｃ）表示制御部１１７ｄは、設定画面２００ｋにおいて、各項目を表示する表示列が、直前に配置した表示列の右側に配置されるように、制御する。直前の表示列が存在しない場合には、設定画面２００ｋの左端側に、配置する。
【０１７４】
（ｄ）算出部１１７ｂは、抽出した上限温度と下限温度との差分を算出する。
（ｅ）判断部１１７ｃは、算出した差分と範囲閾値とを比較する。
（ｆ）差分が範囲閾値未満である場合、表示制御部１１７ｄは、差分が範囲閾値未満であることを示す判定表示を当該表示列の上部に配置する。一方、差分が範囲閾値以上である場合、表示制御部１１７ｄは、差分が範囲閾値以上であることを示す判定表示を当該表示列の上部に配置する。
【０１７５】
（ｇ）表示制御部１１７ｄは、上限温度、下限温度、設定温度を用いて、回転表示計を生成し、判定表示の下側に、生成した回転表示計を配置する。
（ｈ）表示制御部１１７ｄは、回転表示計の下側に、予定時刻を配置する。
処理（ａ）〜（ｈ）の繰返しが終了すると、表示制御部１１７ｄは、開始ボタン２０５を生成し、生成した開始ボタンを設定画面２００ｋの下部に配置する。
【０１７６】
表示制御部１１７ｄは、生成した設定画面２００ｋを、入出力制御部１１８を介して、タッチパネル１２０に対して出力する。設定画面２００ｋは、タッチパネル１２０により、表示される。
以上説明したように、各表示列には、判定表示が含まれている。利用者は、判定表示を見ることにより、当該表示列に対応する上限温度と下限温度との差分が、範囲閾値以上であるか否かを知ることができる。
【０１７７】
また、表示制御部１１７ｄは、設定画面２００ｋにおいて、非推奨温度範囲（又は、推奨温度範囲）となる領域の背景色、目盛りの色、ラベルのフォント属性（文字色、サイズ、装飾）をそれ以外の部分とは異なるようにしてもよい。
また、表示制御部１１７ｄは、設定画面２００ｋにおいて、非推奨温度範囲（又は、推奨温度範囲）の設定温度が選択された場合に、設定画面の一部を、それ以外の部分とは異なる背景色、フォント属性（文字色、サイズ、装飾）、アイコンに変更してもよい。
【０１７８】
また、表示制御部１１７ｄは、設定画面２００ｋにおいて、推奨温度範囲と非推奨温度範囲の境界に目印(線、アイコン等)を描画してもよい。
また、例えば、以下のようにして、操作制限を行ってもよい。
利用者が推奨温度範囲から非推奨温度範囲へ操作部２５５を回転操作しようとした場合、制御部１１７は、推奨温度範囲と非推奨温度範囲の境界でその回転を停止するよう制御してもよい。
【０１７９】
また、表示制御部１１７ｄは、非推奨温度範囲の温度ラベル（目盛り値）を描画しない、としてもよい。
（４）空調機遠隔制御システム１０ｄの携帯端末１０１は、図２４に示す設定画面２００ｍを表示してもよい。
表示制御部１１７ｄは、複数の候補温度を表示するため、円筒軸を中心に回転自在に設けられた仮想円筒の外周面に、昇順に並べられた候補温度を配置し、当該外周面の半周面を、設定画面２００ｍに投影する。ここで、外周面は、推奨温度が配置された推奨温度部と、非推奨温度が配置された非推奨温度部に区分される。上限温度及び下限温度に関連する項目は、推奨温度部、又は、非推奨温度部である。
【０１８０】
表示制御部１１７ｄは、上限温度及び下限温度の差分が範囲閾値以上である場合における推奨温度部を、前記差分が範囲閾値未満である場合における推奨温度部とは、異なる態様により表示させる。又は、表示制御部１１７ｄは、前記差分が範囲閾値以上である場合における非推奨温度部を、前記差分が範囲閾値未満である場合の非推奨温度部とは、異なる態様により表示させる。
【０１８１】
表示制御部１１７ｄは、異なる形態による表示を、異なる色、又は、異なる装飾を用いて、行うとしてもよい。
より詳細には、設定画面２００ｍにおいては、その中央部に、複数の表示列が横方向に配置され、下部に、開始ボタン２０５が配置されている。各表示列は、縦方向に、閾値との比較結果を示す判定表示、円筒型表示計（ドラムピッカー又はリールとも呼ぶ。）及び予定時刻を含む。
【０１８２】
図２４に示すように、設定画面２００ｍの第１表示列は、判定表示２６４、円筒型表示計２６１及び予定時刻２６６「１１時」を含む。また、設定画面２００ｍの第３表示列は、判定表示２６５、円筒型表示計２６３及び予定時刻「１時」を含む。
図２４に示す設定画面２００ｍでは、第１表示列に対応する予定時刻においては、上限温度と下限温度との差分が範囲閾値未満である。一方、第３表示列に対応する予定時刻においては、上限温度と下限温度との差分が範囲閾値以上である。図２４に示すように、判定表示２６４と判定表示２６５とは異なる形態を有している。このように、判定表示により、当該表示行に対応する上限温度と下限温度との差分が、範囲閾値以上であるか否かを知ることができる。
【０１８３】
各円筒型表示計は、利用者の操作体による接触により入力を受け付ける操作部である。
この操作部は、タッチパネル１２０の表示面に平行するように仮想的に設けられた円筒軸の周りに回転自在に仮想的に設けられた円筒の外周面を、前記表示面に投影して得られる円筒型表示計である。円筒の外周面に回転方向に沿って複数の温度が配置されている。これらの前記複数の温度は、前記空調機の周辺環境温度の範囲に対応している。
【０１８４】
表示制御部１１７ｄは、前記外周面に配置された複数の温度のうちの一部の温度を、設定画面２００ｍに表示する。前記円筒の回転に伴って、設定画面２００ｍに表示される前記一部の温度の組が変化する。
制御部１１７は、円筒型表示計に接触する利用者の操作体の移動に伴って、前記円筒を仮想的に回転させることにより、設定温度の選択を受け付ける。具体的には、制御部１１７は、設定画面２００ｍに表示される前記組の温度のうち、中央に表示されている温度を設定温度として受け付ける。
【０１８５】
具体的には、制御部１１７は、操作部である円筒型表示計２６１に接触する利用者の操作体の移動に伴って、円筒が仮想的に回転するように、円筒型表示計２６１の表示を変更させる。操作体がタッチパネル１２０から離れると、制御部１１７は、円筒の回転が仮想的に停止するように、円筒型表示計２６１の表示の変更を停止させる。このとき、円筒型表示計２６１に表示されている複数の温度のうち、中央により示される温度２６７により、設定温度が選択され、制御部１１７は、選択された設定温度を受け付ける。
【０１８６】
（設定画面２００ｍの生成処理の詳細）
制御部１１７による設定画面２００ｍの生成処理の詳細について説明する。
制御部１１７の表示制御部１１７ｄは、設定画面２００ｍの外周に沿って配置されるように、矩形の外枠を生成する。
表示制御部１１７ｄは、温度範囲テーブル１２２に含まれる予定時刻毎に、以下の処理（ａ）〜（ｇ）を繰り返す。
【０１８７】
（ａ）取得部１１７ａは、温度範囲テーブル１２２から、当該予定時刻、当該予定時刻に対応する上限温度及び下限温度を抽出する。
（ｂ）取得部１１７ａは、空調機制御情報テーブル１２３から、当該予定時刻に対応する設定温度を抽出する。
（ｃ）表示制御部１１７ｄは、設定画面２００ｍにおいて、各項目を表示する表示列が、直前に配置した表示列の右側に配置されるように、制御する。直前の表示列が存在しない場合には、設定画面２００ｍの左端側に、配置する。
【０１８８】
（ｄ）算出部１１７ｂは、抽出した上限温度と下限温度との差分を算出する。
（ｅ）判断部１１７ｃは、算出した差分と範囲閾値とを比較する。
（ｆ）差分が範囲閾値未満である場合、表示制御部１１７ｄは、差分が範囲閾値未満であることを示す判定表示を当該表示列の上部に配置する。一方、差分が範囲閾値以上である場合、表示制御部１１７ｄは、差分が閾値以上であることを示す判定表示を当該表示列の上側に配置する。
【０１８９】
（ｇ）算出部１１７ｂは、抽出した設定温度より、１度及び２度低い温度を算出する。次に、抽出した設定温度より、１度及び２度高い温度を算出する。次に、表示制御部１１７ｄは、２度高い温度、１度高い温度、設定温度、１度低い温度及び２度低い温度を、この順序で、仮想的な円筒の外周面において周方向に配置する。次に、表示制御部１１７ｄは、設定温度が中央に表示されるよう、外周面をタッチパネル１２０の表示面に投影するように、円筒型表示計を生成する。次に、表示制御部１１７ｄは、判定表示の下側に、生成した円筒型表示計を配置する。
【０１９０】
（ｈ）表示制御部１１７ｄは、円筒型表示計の下側に、予定時刻を配置する。
処理（ａ）〜（ｈ）の繰返しが終了すると、表示制御部１１７ｄは、開始ボタン２０５を生成し、生成した開始ボタンを設定画面２００ｍの下部に配置する。
表示制御部１１７ｄは、生成した設定画面２００ｍを、入出力制御部１１８を介して、タッチパネル１２０に対して出力する。設定画面２００ｍは、タッチパネル１２０により、表示される。
【０１９１】
以上説明したように、各表示列には、判定表示が含まれている。利用者は、判定表示を見ることにより、当該表示列に対応する上限温度と下限温度との差分が、範囲閾値以上であるか否かを知ることができる。
また、表示制御部１１７ｄは、設定画面２００ｍにおいて、非推奨温度範囲（又は、推奨温度範囲）となる領域の背景色、ラベルのフォント属性（文字色、サイズ、装飾）をそれ以外の部分とは異なるようにしてもよい。
【０１９２】
また、表示制御部１１７ｄは、設定画面２００ｍにおいて、非推奨温度範囲（又は、推奨温度範囲）の設定温度が選択された場合に、設定画面２００ｍの一部を、それ以外の部分とは異なる背景色、フォント属性（文字色、サイズ、装飾）、アイコンに変更してもよい。
また、表示制御部１１７ｄは、設定画面２００ｍにおいて、推奨温度範囲と非推奨温度範囲の境界に目印(線、アイコン等)を描画してもよい。
【０１９３】
また、例えば、以下のようにして、操作制限を行ってもよい。
利用者が、推奨温度範囲から非推奨温度範囲へ、スクロール操作しようとした場合、制御部１１７は、推奨温度範囲と非推奨温度範囲の境界で、スクロールを停止するよう制御してもよい。
また、表示制御部１１７ｄは、非推奨温度範囲の温度ラベル（温度表示）を描画しない、としてもよい。
【０１９４】
また、上記においては、設定画面２００ｍに円筒型表示計を表示しているが、これには、限定されない。
設定画面２００ｍに、表示制御部１１７ｄは、円筒型表示計に代えて、リスト又はコンボボックスを表示してもよい。リスト又はコンボボックスには、複数の温度が表示される。
【０１９５】
（他の変形例）
なお、図２５に示すように、制御部１１７は、設定画面６００を生成し、表示するように、制御してもよい。
表示制御部１１７ｄは、異なる形態による表示を、異なる文字書体を用いて、行うとしてもよい。
【０１９６】
より詳細には、設定画面６００は、設定画面２００ｍと同様に、その中央部に、複数の表示列が横方向に配置され、下部に、開始ボタン２０５が配置されている。各表示列は、縦方向に、判定表示、円筒型表示計及び予定時刻を含む。
各円筒型表示計は、設定画面２００ｍと同様に、操作部である。各円筒型表示計は、円筒の外周面を、表示面に投影して得られる。円筒の外周面に回転方向に沿って複数の候補温度が表示されている。
【０１９７】
なお、設定画面６００においては、各予定時刻と、上限温度及び下限温度との関係は、図３の温度範囲テーブル１２２に示す通りであるとする。
設定画面２００ｍとの第１の相違点は、設定画面６００の各円筒型表示計の円筒の外周面には、予定時刻の上限温度以下かつ下限温度以上の推奨温度範囲の温度が配置されることである。上限温度より高い温度、及び、下限温度より低い温度は、外周面には、配置されない。
【０１９８】
これにより、各円筒型表示計において、温度が表示されていれば、その温度は、当該予定時間の上限温度及び下限温度の推奨温度範囲内であることがわかる。
次に、設定画面２００ｍとの第２の相違点は、各予定時刻における上限温度及び下限温度の差分が範囲閾値以上である場合に、各予定時刻における上限温度及び下限温度の差分が範囲閾値未満である場合とは、各円筒型表示計の円筒の外周面に表示されている各温度の文字書体が異なることである。
【０１９９】
円筒型表示計６０１及び６０２において、それぞれ、全ての温度６０６、６０７は、ゴシック体により表示されている。一方、円筒型表示計６０３において、全ての温度６０８は、イタリック体により表示されている。
このように、円筒型表示計に表示される温度の文字書体によって、その円筒体表示計に対応する予定時刻における上限温度及び下限温度の差分が範囲閾値以上である否かを見分けることができる。
【０２００】
なお、上限温度及び下限温度の差分が範囲閾値以上である否かを、文字書体ではなく、円筒型表示計に着色された色又は施された装飾により、区別できるようにしてもよい。例えば、上限温度及び下限温度の差分が範囲閾値以上である場合、その円筒型表示計を赤色で表示してもよい。上限温度及び下限温度の差分が範囲閾値未満である場合、その円筒型表示計を緑色で表示する。
【０２０１】
また、上限温度及び下限温度の差分が範囲閾値以上である否かを、文字書体ではなく、円筒型表示計の幅、長さ、幅及び長さ（大きさ）により、区別できるようにしてもよい。例えば、制御部１１７は、上限温度及び下限温度の差分が範囲閾値以上である場合、その円筒型表示計の幅を幅閾値より小さくしてもよい。上限温度及び下限温度の差分が範囲閾値未満である場合、その円筒型表示計の幅を幅閾値より大きくする。
【０２０２】
このように、制御部１１７は、円筒型表示計において、上限温度と下限温度との差分が範囲閾値以上である場合における非推奨温度領域（言い換えると、低温度領域及び高温度領域）を、前記差分が前記閾値未満である場合における非推奨温度領域とは、異なる色、異なるサイズ、異なる装飾又は異なる文字書体を用いて表示させるとしてもよい。
また、制御部１１７は、円筒型表示計において、前記差分が範囲閾値以上である場合における推奨温度領域を、前記差分が範囲閾値未満である場合における推奨温度領域とは、異なる色、異なるサイズ、異なる装飾又は異なる文字書体を用いて表示させるとしてもよい。
【０２０３】
１．１０  変形例５
空調機遠隔制御システム１０の変形例５としての空調機遠隔制御システム１０ｅについて、説明する。
空調機遠隔制御システム１０ｅは、空調機遠隔制御システム１０と同様の構成を有する。ここでは、空調機遠隔制御システム１０との相違点を中心として説明する。
【０２０４】
空調機遠隔制御システム１０ｅでは、携帯端末１０１のタッチパネル１２０に表示される設定画面が空調機遠隔制御システム１０とは異なる。
空調機遠隔制御システム１０ｅの携帯端末１０１は、図２６に示す設定画面２００ｎを表示する。
携帯端末１０１は、周辺環境温度が目標温度となるように空調機を稼動させるため、複数の時間帯毎に、複数の候補温度から一の設定温度の選択を受け付ける設定画面２００ｎを表示する。算出部１１７ｂは、複数の時間帯のうちの第１時間帯において選択された第１設定温度と、第１時間帯に隣接する第２時間帯において選択された第２設定温度との差分を算出する。判断部１１７ｃは、算出した前記差分が隣接閾値以上か否かを判断する。表示制御部１１７ｄは、前記差分が隣接閾値以上である場合に、設定画面２００ｎにおいて、第１設定温度及び／又は第２設定温度に関連する項目を、隣接閾値未満である場合とは、異なる形態で表示させる。携帯端末１０１は、利用者により選択された設定温度を目標温度として空調機１０２に送信する。
【０２０５】
また、表示制御部１１７ｄは、設定画面２００ｎにおいて、第１軸方向に時間帯を示し、第１軸に直交する第２軸方向に候補温度を示し、矩形に形成されたグラフ領域を配置する。表示制御部１１７ｄは、グラフ領域において、第１時間帯により示される第１軸上の位置と、第１設定温度により示される第２軸上の位置とが交差する点に第１操作部を配置する。また、表示制御部１１７ｄは、第２時間帯により示される第１軸上の位置と、第２設定温度により示される第２軸上の位置とが交差する点に第２操作部を配置する。表示制御部１１７ｄは、第１設定温度及び／又は第２設定温度に関連する項目として、第１操作部及び第２操作部に対応付けて、前記差分が隣接閾値以上であるか否かを示す判定表示を配置する。表示制御部１１７ｄは、前記差分が隣接閾値以上である場合に、判定表示を、隣接閾値未満である場合とは、異なる形態で表示させる。
【０２０６】
また、表示制御部１１７ｄは、異なる形態による表示を、異なる色、異なるサイズ、異なる装飾又は異なる文字書体を用いて、行うとしてもよい。
より詳細には、設定画面２００ｎにおいては、その中央部に、矩形のグラフ領域２７６が配置されている。グラフ領域２７６の下部に、横軸２０３ｎ（第１軸）が配置され、グラフ領域２７６の左側部に、縦軸２０２ｎ（第２軸）が配置されている。また、横軸２０３ｎの下部には、開始ボタン２０５が配置されている。
【０２０７】
横軸２０３ｎは、時刻の変化を示す。横軸２０３ｎに沿って、横方向に、複数の予定時刻を示す目盛り値が表示されている。設定画面２００ｍでは、予定時刻として、左から、「１１時」、「０時」及び「１時」が表示されている。それぞれ、「１１時」、「０時」及び「１時」に対応する位置が、予定時刻１１時、０時及び１時であることを意味している。
【０２０８】
縦軸２０２ｎは、温度の変化を示す。縦軸２０２ｎに沿って、縦方向に、複数の温度を示す目盛り値が表示されている。設定画面２００ａでは、上から、「３０°Ｃ」、「２５°Ｃ」及び「２０°Ｃ」が表示されている。それぞれ、「３０°Ｃ」、「２５°Ｃ」及び「２０°Ｃ」に対応する位置が、温度３０°Ｃ、２５°Ｃ及び２０°Ｃであることを意味している。
【０２０９】
グラフ領域２７６は、高温度領域２７４ｘ、推奨温度領域２７５及び低温度領域２７４ｙに区分されている。高温度領域２７４ｘは、各予定時刻において、上限温度より高い温度領域である。推奨温度領域２７５は、各予定時刻において、上限温度以下かつ下限温度以上の温度領域である。低温度領域２７４ｙは、各予定時刻において、下限温度より低い温度領域である。
【０２１０】
グラフ領域２７６には、各予定時刻について、当該予定時刻により示される第１軸上の位置と、当該予定時刻における設定温度により示される第２軸上の位置とが交差する点に温度表示（操作部）が配置されている。この結果、グラフ領域２７６には、複数の温度表示２７１、２７２及び２７３が配置される。
各温度表示は、判定表示を含んでいる。判定表示は、当該判定表示を含む温度表示により示される設定温度と、当該温度表示に隣接する位置の温度表示により示される設定温度との差分が、隣接閾値以上であるか否かを示している。
【０２１１】
判定表示における異なる形態による表示を、異なる色、異なるサイズ、異なる装飾、異なる文字、又は、異なる文字書体を用いて、行うとしてもよい。
具体的には、設定温度の差分が、隣接閾値以上か否かにより、判定表示を第１色（例えば、赤色）又は第２色（例えば、緑色）を用いて着色してもよい。また、判定表示のサイズを第１のサイズ（例えば、縦１６ドット×横１６ドットの大きさ）又は第２のサイズ（例えば、縦３２ドット×横３２ドットの大きさ）としてもよい。また、判定表示に第１の装飾（例えば、笑う人の顔の表示）又は第２の装飾（例えば、怒る人の顔の表示）を施すとしてもよい。また、判定表示に第１の文字（例えば、「閾値以上」）又は第２の文字（例えば、「閾値未満」）を付すとしてもよい。また、判定表示に、例えば、「判定」の文字を表示し、その文字書体を、第１の文字書体（例えば、ゴシック体）又は第２の文字書体（例えば、イタリック体）としてもよい。
【０２１２】
図２６に示す設定画面２００ｎでは、温度表示２７１及び温度表示２７２により示される２個の設定温度の差分は、隣接閾値以上である。一方、温度表示２７２及び温度表示２７３により示される２個の設定温度の差分は、隣接閾値未満である。図２６に示すように、温度表示２７１に含まれる判定表示と温度表示２７２に含まれる判定表示とは異なる形態を有している。このように、判定表示により、隣接する２個の温度表示により示される２個の設定温度の差分が、隣接閾値以上であるか否かを知ることができる。
【０２１３】
また、グラフ領域２７６には、温度表示２７１と温度表示２７２とを連結する線分２７７、及び、温度表示２７２と温度表示２７３とを連結する線分２７８が配置されている。
設定画面２００ｎの下部には、開始ボタン２０５が配置されている。
各温度表示は、利用者の操作体による接触により入力を受け付ける操作部である。
制御部１１７は、操作部である温度表示に接触する利用者の操作体の移動に伴って、温度表示を、上方向、又は、下方向に、即ち、縦軸２０２ｎ（第２軸）の方向に移動させる。操作体がタッチパネル１２０から離れると、制御部１１７は、温度表示の移動を停止させる。このとき、温度表示により示される縦軸の位置により、設定温度が選択され、制御部１１７は、選択された設定温度を受け付ける。
【０２１４】
このように、温度表示は、操作体の接触移動操作に伴って、移動するので、温度表示を、スライダーと呼ぶこともある。
（設定画面２００ｎの生成処理の詳細）
制御部１１７による設定画面２００ｎの生成処理の詳細について、図２７に示すフローチャートを用いて、説明する。
【０２１５】
制御部１１７の表示制御部１１７ｄは、設定画面２００ｎの外周に沿って配置されるように、矩形の外枠を生成する（ステップＳ１８１）。
表示制御部１１７ｄは、設定画面２００ｎの左側部に配置されるように、縦軸２０２ｎの目盛り値を生成する（ステップＳ１８２）。
表示制御部１１７ｄは、温度範囲テーブル１２２に含まれる予定時刻毎に、ステップＳ１８４〜Ｓ１９２を繰り返す（ステップＳ１８３〜Ｓ１９３）。
【０２１６】
取得部１１７ａは、温度範囲テーブル１２２から、当該予定時刻を抽出する（ステップＳ１８４）。
表示制御部１１７ｄは、設定画面２００ｎの下側部に配置されるように、横軸２０３ｎの目盛り値を生成する（ステップＳ１８５）。
取得部１１７ａは、温度範囲テーブル１２２から、当該予定時刻に対応する上限温度及び下限温度を抽出する（ステップＳ１８６）。
【０２１７】
表示制御部１１７ｄは、設定画面２００ｎのグラフ領域２７６において、当該予定時刻に対応して、配置されるように、上限温度を示す点と下限温度を示す点を生成する（ステップＳ１８７）。
取得部１１７ａは、空調機制御情報テーブル１２３から、当該予定時刻に対応する設定温度（第１設定温度と呼ぶ）を抽出する（ステップＳ１８８）。
【０２１８】
取得部１１７ａは、空調機制御情報テーブル１２３から、当該予定時刻に隣接する予定時刻に対応する設定温度（第２設定温度と呼ぶ）を抽出する。算出部１１７ｂは、抽出した第１設定温度と、抽出した第２設定温度との差分を算出する（ステップＳ１８９）。
判断部１１７ｃは、算出した差分と隣接閾値とを比較する（ステップＳ１９０）。
差分が隣接閾値未満である場合（ステップＳ１９０で「未満」）、表示制御部１１７ｄは、設定温度の位置に、第１パターンのスライダー（温度表示）を生成する。即ち、差分が隣接閾値未満であることを示す判定表示を含む温度表示を配置する（ステップＳ１９１）。一方、差分が隣接閾値以上である場合（ステップＳ１９０で「以上」）、表示制御部１１７ｄは、設定温度の位置に、第２パターンのスライダーを生成する。即ち、差分が隣接閾値以上であることを示す判定表示を含む温度表示を配置する（ステップＳ１９２）。
【０２１９】
ステップＳ１８４〜１９２の繰返しが終了すると、表示制御部１１７ｄは、グラフ領域２７６において、複数の上限温度を示す複数の点の間を線分で連結する。次に、複数の下限温度を示す複数の点の間を線分で連結する（ステップＳ１９４）。
表示制御部１１７ｄは、グラフ領域２７６において、高温度領域２７４ｘ及び低温度領域２７４ｙに、網かけを施す（ステップＳ１９５）。
【０２２０】
表示制御部１１７ｄは、グラフ領域２７６において、隣接して配置されている２個の温度表示（スライダー）の間を接続する線分を生成し、配置する（ステップＳ１９６）。
表示制御部１１７ｄは、開始ボタン２０５を生成し、生成した開始ボタンを設定画面２００ｍの下部に配置する（ステップＳ１９７）。
表示制御部１１７ｄは、生成した設定画面２００ｎを、入出力制御部１１８を介して、タッチパネル１２０に対して出力する。設定画面２００ｎは、タッチパネル１２０により、表示される。
【０２２１】
以上説明したように、各温度表示には、判定表示が含まれている。利用者は、判定表示を見ることにより、隣接する２個の予定時刻に対応する２個の設定温度の差分が、隣接閾値以上であるか否かを知ることができる。
このように、隣接する時間帯における第１設定温度及び第２設定温度に関連する項目についての表示の形態により、利用者は、第１設定温度及び第２設定温度６差分が隣接閾値以上であるか否かを知ることができる。前記差分が隣接閾値以上である場合には、空調機の周辺環境温度を急激に変化させる可能性が高い。このような場合に、設定温度を更新するように、利用者に警告することができる。
【０２２２】
なお、次のようにしてもよい。
（ｉ）表示制御部１１７ｄは、設定画面２００ｎにおいて、非推奨温度領域（又は、推奨温度領域）の縦軸の文字ラベルの色、フォント属性（色、サイズ、装飾）を変更してもよい。
（ii）表示制御部１１７ｄは、設定画面２００ｎにおいて、非推奨温度領域（又は、推奨温度領域）の設定温度が選択された場合に、設定画面２００ｎの一部を、それ以外の部分とは異なる背景色、フォント属性（文字色、サイズ、装飾）、アイコンに変更してもよい。
【０２２３】
（iii ）表示制御部１１７ｄは、設定画面２００ｎにおいて、非推奨温度領域（又は、推奨温度領域）となるグラフ上の領域の背景色をそれ以外の部分とは異なるようにしてもよい。
（iv）表示制御部１１７ｄは、設定画面２００ｎにおいて、推奨温度領域と非推奨温度領域の境界に目印(線、アイコン等)を描画してもよい。
【０２２４】
（ｖ）例えば、以下のようにして、操作制限を行ってもよい。
利用者が、推奨温度範囲から非推奨温度範囲へ、操作部をスライド操作しようとした場合、制御部１１７は、推奨温度範囲と非推奨温度範囲の境界で操作部のスライドを停止するよう制御してもよい。
（vi）図２７に示すフローチャートにおいては、一つの設定温度について、隣接する予定時刻の設定温度との差分を算出し、算出された差分と隣接閾値とを比較し、判定表示を生成して、判定表示を配置している。この手順を全ての設定温度について、繰り返す。しかし、この方法には、限定されない。
【０２２５】
次のようにしてもよい。
制御部１１７は、空調機制御情報テーブル１２３から全ての設定温度を抽出する。次に、抽出した全ての設定温度から、時間帯が隣接する２つの設定温度の全ての組を抽出する。全ての組の設定温度について、その差分を算出し、算出した差分と、隣接閾値とを比較して、差分が隣接閾値以上であるか否かを判断する。各組について、判定表示を生成し、生成した判定表示を配置する。
【０２２６】
（vii）図２６に示す設定画面２００ｎにおいては、温度表示２７１における判定表示と温度表示２７２における判定表示が異なるようにしている。しかし、これには限定されない。
全ての温度表示において、運転モードをしめす「冷」、「暖」、「ＯＦＦ」などを表示する。また、温度表示２７１及び温度表示２７２を連結する線分上に、温度表示２７１及び温度表示２７２の関係を示す判定表示を表示する。
【０２２７】
ここで、温度表示２７１及び温度表示２７２の関係を示す判定表示は、温度表示２７１により示される設定温度と温度表示２７２により示される設定温度との差分が、閾値以上であるか否かを示す。
（viii）次に示すようにしてもよい。
（ａ）制御部１１７は、利用者から第１設定温度に置き換えられるべき更新温度の選択を受け付けるとしてもよい。算出部１１７ｂは、更新温度及び第２設定温度の差分を算出する。判断部１１７ｃは、算出した差分が隣接閾値以上であるか否かを判断する。制御部１１７は、前記差分が隣接閾値以上である場合に、選択された更新温度を、隣接閾値未満である場合とは、異なる方法により取り扱う。
【０２２８】
（ｂ）制御部１１７は、前記差分が隣接閾値以上である場合に、選択された更新温度を破棄するとしてもよい。一方、制御部１１７は、前記差分が隣接閾値未満である場合に、第１設定温度を更新温度に置き換える。
（ｃ）制御部１１７は、選択された更新温度により、前記差分が隣接閾値以上となる場合、前記差分が隣接閾値以上とならないように、選択された更新温度を変更する、としてもよい。
【０２２９】
（ｄ）表示制御部１１７ｄは、設定画面２００ｎに、更新温度を選択するための利用者による操作部を配置するとしてもよい。制御部１１７は、前記操作部に対する利用者の操作に伴って、前記操作部を移動させることにより、更新温度の選択を受け付ける。表示制御部１１７ｄは、前記操作部の移動により、前記差分が隣接閾値以上となる場合、前記差分が隣接閾値以上とならない範囲に、前記操作部を移動させる。
【０２３０】
（ｅ）制御部１１７は、前記差分が隣接閾値以上である場合に、選択された更新温度を破棄し、前記差分が隣接閾値未満となるように、第２時間帯における第２設定温度を変更してもよい。
（ｆ）取得部１１７ａは、さらに、第１時間帯において空調機１０２における目標温度の上限温度及び下限温度を取得するとしてもよい。判断部１１７ｃは、利用者により選択された更新温度が上限温度及び下限温度の範囲内にあるか否を判断する。制御部１１７は、前記範囲内にない場合、更新温度を破棄する。一方、制御部１１７は、前記範囲内にある場合、第１設定温度を更新温度に置き換える。
【０２３１】
（ix）次に示すようにしてもよい。
（ａ）利用者から、第１設定温度を更新の対象とし、当該第１設定温度に置き換えられるべき更新温度の選択が予想される場合、算出部１１７ｂは、更新温度及び第２設定温度の差分を算出する。判断部１１７ｃは、更新温度及び第２設定温度の差分が隣接閾値以上であるか否かを判断する。表示制御部１１７ｄは、前記差分が隣接閾値以上である場合、前記更新温度の選択方法を、前記閾値未満である場合とは、異なる方法により行わせる。
【０２３２】
（ｂ）制御部１１７は、更新温度及び第２設定温度の差分が隣接閾値以上である場合に、更新温度の選択を制限してもよい。
（ｃ）表示制御部１１７ｄは、設定画面２００ｎに、時間帯毎に、利用者の操作により、更新の対象となる第１設定温度に一度を加算して更新温度とするプラスボタン、及び、利用者の操作により、更新の対象となる第１設定温度から一度を減算して更新温度とするマイナスボタンを配置してもよい。
【０２３３】
制御部１１７は、プラスボタン又はマイナスボタンの操作により、前記差分が隣接閾値以上となる場合、プラスボタン又はマイナスボタンの操作を制限する。
（ｄ）表示制御部１１７ｄは、設定画面２００ｎに、更新温度を選択するため、利用者により操作される操作部を配置してもよい。操作部に対する利用者の操作に伴って、操作部を移動させることにより、更新温度の選択を受け付ける。
【０２３４】
制御部１１７は、操作部の移動により、前記差分が隣接閾値以上となる場合、操作部の移動操作を制限する。
（ｅ）表示制御部１１７ｄは、設定画面２００ｎに、複数の候補温度を表示してもよい。表示制御部１１７ｄは、候補温度からの選択が予想される更新温度により、差分が隣接閾値以上となる場合、候補温度のうち、当該更新温度を表示させない。
【０２３５】
制御部１１７は、表示されている候補温度から、利用者による更新温度の選択を受け付ける。制御部１１７は、表示されていない候補温度から、更新温度の選択を制限する。
（ｆ）取得部１１７ａは、第１時間帯において空調機１０２における目標温度の上限温度及び下限温度を取得してもよい。判断部１１７ｃは、選択が予想される更新温度が上限温度及び下限温度の範囲内にあるか否を判断する。制御部１１７は、前記範囲内にない場合、更新温度の選択を制限する。
【０２３６】
（x）次に示すようにしてもよい。
制御部１１７は、第１設定温度と第２設定温度の差分が範囲閾値以上である場合、利用者に対する警告として、設定画面２００ｎにその旨を表示させ、警告音を発生させ、又は、携帯端末１０１を振動させてもよい。
１．１１  変形例６
空調機遠隔制御システム１０の変形例６としての空調機遠隔制御システム１０ｆについて、説明する。
【０２３７】
空調機遠隔制御システム１０ｆは、空調機遠隔制御システム１０と同様の構成を有する。ここでは、空調機遠隔制御システム１０との相違点を中心として説明する。
空調機遠隔制御システム１０ｆの携帯端末１０１は、以下に示すようにして、利用者から上限温度又は下限温度の入力を受け付けるとしてもよい。
携帯端末１０１における上限温度又は下限温度の入力の動作について、図２８に示すフローチャートを用いて説明する。
【０２３８】
タッチパネル１２０は、各予定時刻において、利用者から上限温度、下限温度又は上限温度及び下限温度の入力を受け付ける。タッチパネル１２０は、入出力制御部１１８を介して、予定時刻とともに、入力された上限温度、下限温度又は上限温度及び下限温度を、制御部１１７に対して出力する。制御部１１７の取得部１１７ａは、予定時刻とともに、上限温度、下限温度又は上限温度及び下限温度を受け取る（ステップＳ３２１）。
【０２３９】
取得部１１７ａは、上限温度を受け取った場合、受け取った予定時刻に対応する下限温度を温度範囲テーブル１２２から抽出する。次に、算出部１１７ｂは、受け取った上限温度と抽出した下限温度との差分を算出する（ステップＳ３２２）。
取得部１１７ａは、下限温度を受け取った場合、受け取った予定時刻に対応する上限温度を温度範囲テーブル１２２から抽出する。次に、算出部１１７ｂは、抽出した上限温度と受け取った下限温度との差分を算出する（ステップＳ３２２）。
【０２４０】
取得部１１７ａが上限温度及び下限温度を受け取った場合、算出部１１７ｂは、受け取った上限温度と下限温度との差分を算出する（ステップＳ３２２）。
次に、判断部１１７ｃは、差分と範囲閾値とを比較する（ステップＳ３２３）。
差分が範囲閾値未満である場合（ステップＳ３２３で「未満」）、制御部１１７は、上限温度、下限温度、又は上限温度及び下限温度の入力を許可する。この場合、制御部１１７は、予定時刻に対応して、受け取った上限温度、下限温度、又は上限温度及び下限温度を、温度範囲テーブル１２２に上書きする（ステップＳ３２４）。
【０２４１】
差分が範囲閾値以上である場合（ステップＳ３２３で「以上」）、制御部１１７は、上限温度、下限温度、又は上限温度及び下限温度の入力が無効であることを示すメッセージを生成する。次に、制御部１１７は、当該メッセージを、入出力制御部１１８を介して、タッチパネル１２０に出力する。タッチパネル１２０は、利用者に対する警告として、当該メッセージを表示する（ステップＳ３２５）。
【０２４２】
ここで、メッセージの表示に代えて、制御部１１７は、利用者に対する警告として、ビープ音を慣らすように、音声制御部１１４及びスピーカ１１５を制御してもよい。また、メッセージの表示に代えて、制御部１１７は、利用者に対する警告として、振動するように、バイブレータ１２４を制御してもよい。
次に、制御部１１７は、受け取った上限温度、下限温度、又は上限温度及び下限温度の入力を無効とする。即ち、制御部１１７は、受け取った上限温度、下限温度、又は上限温度及び下限温度を破棄する（ステップＳ３２６）。
【０２４３】
このようにして、差分が範囲閾値以上となるような、上限温度、下限温度、又は上限温度及び下限温度の入力を禁止する。
１．１１  変形例７
変形例５の空調機遠隔制御システム１０ｅの変形例７としての空調機遠隔制御システム１０ｇについて、説明する。
【０２４４】
空調機遠隔制御システム１０ｇは、空調機遠隔制御システム１０ｅと同様の構成を有する。ここでは、空調機遠隔制御システム１０ｅとの相違点を中心として説明する。
空調機遠隔制御システム１０ｅの携帯端末１０１は、利用者から新たに設定温度の入力を受け付けた場合の動作について、図２９に示すフローチャートを用いて説明する。
タッチパネル１２０は、一つの予定時刻（第１予定時刻と呼ぶ。）において、利用者から新たに設定温度（第１設定温度と呼ぶ）の入力を受け付ける（ステップＳ３４０）。
【０２４５】
次に、制御部１１７の取得部１１７ａは、第１の予定時刻と隣接する第２の予定時刻における設定温度（第２設定温度）を、空調機制御情報テーブル１２３から抽出する。次に、算出部１１７ｂは、第１設定温度と第２設定温度の差分を算出する（ステップＳ３４１）。
次に、判断部１１７ｃは、差分と隣接閾値とを比較する（ステップＳ３４２）。
【０２４６】
差分が隣接閾値未満である場合（ステップＳ３４２で「未満」）、制御部１１７は、第１予定時刻における新たな第１設定温度の入力を許可する。この場合、制御部１１７は、第１予定時刻に対応して、第１設定温度を空調機制御情報テーブル１２３に上書きする（ステップＳ３４３）。
差分が隣接閾値以上である場合（ステップＳ３４２で「以上」）、制御部１１７は、新たにされた第１設定温度の入力が無効であることを示すメッセージを生成する。次に、制御部１１７は、当該メッセージを、入出力制御部１１８を介して、タッチパネル１２０に出力する。タッチパネル１２０は、利用者に対する警告として、当該メッセージを表示する（ステップＳ３４４）。
【０２４７】
ここで、メッセージの表示に代えて、制御部１１７は、利用者に対する警告として、ビープ音を慣らすように、音声制御部１１４及びスピーカ１１５を制御してもよい。また、メッセージの表示に代えて、制御部１１７は、利用者に対する警告として、振動するように、バイブレータ１２４を制御してもよい。
次に、制御部１１７は、受け取った第１設定温度の入力を無効とする。即ち、制御部１１７は、受け取った第１設定温度を破棄する（ステップＳ３４５）。
【０２４８】
このようにして、隣接する予定時刻における設定温度との差分が隣接閾値以上となるような、設定温度の入力を禁止する。
なお、次に示すようにしてもよい。
空調機遠隔制御システム１０ｅの携帯端末１０１は、利用者から新たに設定温度の入力を受け付けた場合の別の動作について、図２９との相違点を中心として、図３０に示すフローチャートを用いて説明する。
【０２４９】
図３０のステップＳ３４０〜Ｓ３４４は、図２９のステップＳ３４０〜Ｓ３４４と同一である。
図２９のステップＳ３４５に代えて、図３０のステップＳ３４５ａにおいて、制御部１１７は、第１設定温度と第２設定温度との差分が隣接閾値未満となるように、第１設定温度を補正する（ステップＳ３４５ａ）。
【０２５０】
具体的には、制御部１１７は、
補正後の第１設定温度＜閾値＋第２設定温度
を満たすように、最大の第１設定温度を選択する。
このようにして、隣接する予定時刻における設定温度との差分が隣接閾値以上となるような、設定温度が入力された場合であっても、隣接する予定時刻における設定温度との差分が閾値未満となるようにすることができる。
【０２５１】
２．実施の形態２
本発明の実施の形態２に係る空調機遠隔制御システム１０ｈについて、説明する。
空調機遠隔制御システム１０ｈは、空調機遠隔制御システム１０と同様の構成を有する。ここでは、空調機遠隔制御システム１０との相違点を中心として説明する。
空調機遠隔制御システム１０の携帯端末１０１は、一例として、図３１に示す設定画面６２０を表示してもよい。
【０２５２】
設定画面６２０は、図２５に示す設定画面６００と同様に、円筒型表示計を用いている。設定画面６２０は、円筒型表示計６２１、６２２及び６２３、横軸６２４、並びに、開始ボタン２０５を含んでいる。
円筒型表示計６２１、６２２及び６２３において、上限温度以下かつ下限温度以上の推奨温度範囲６２６、６２７及び６０８をイタリック体により表示している。また、上限温度より高い高温度範囲及び下限温度より低い低温度範囲（非推奨温度範囲）の温度をゴシック体により表示している。
【０２５３】
空調機遠隔制御システム１０ｈの携帯端末１０１において、各予定時刻について、設定温度が設定された場合、上限温度及び下限温度は、以下の計算式で決定される。
上限温度＝ＭＩＮ（各予定時刻の設定温度）＋５          （式５）
下限温度＝ＭＡＸ（各予定時刻の設定温度）−５          （式６）
空調機遠隔制御システム１０ｈの携帯端末１０１において、利用者により、新たに設定温度が入力された場合の動作について、図３２に示すフローチャートを用いて、説明する。
【０２５４】
ここで、図３２に示すフローチャートのステップＳ１２３、Ｓ１２４及びＳ１２５は、それぞれ、図９に示すフローチャートのステップＳ１２３、Ｓ１２４及びＳ１２５と同一である。
ここでは、図９に示すフローチャートとの相違点を中心として説明する。
入力された温度が、上限温度及び下限温度の範囲内でない場合（ステップＳ１２３で「温度範囲外」）、ステップＳ１２５の次のステップにおいて、制御部１１７は、入力された温度が上限温度より大きい場合、全ての予定時刻における設定温度に１度を加算する。又は、入力された温度が下限温度より小さい場合、全ての予定時刻における設定温度から１度を減算する（ステップＳ２０１）。
【０２５５】
次に、制御部１１７は、次の式により、全ての上限温度を算出する。
上限温度＝ＭＩＮ（予定時刻の変更された設定温度）＋５  （全ての予定時刻について）  （ステップＳ２０２）。
次に、制御部１１７は、次の式により、全ての下限温度を算出する。
下限温度＝ＭＡＸ（予定時刻の変更された設定温度）−５  （全ての予定時刻について）  （ステップＳ２０３）。
【０２５６】
全ての上限温度及び下限温度が変更されると、制御部１１７は、温度範囲テーブル１２２において、全ての予定時刻について、上限温度及び下限温度に、新たに算出された上限温度及び下限温度を上書きする。また、制御部１１７は、空調機制御情報テーブル１２３において、全ての予定時刻について、設定温度に、新たに算出された設定温度を上書きする（ステップＳ１２６ａ）。
【０２５７】
その後、空調機遠隔制御システム１０と同様に、制御部１１７は、空調機制御情報テーブル１２３を、サーバ装置１０３に送信する。
図３１に示す設定画面６２０の場合、ＭＩＮ（各時刻の設定温度）＝２２度であり、ＭＡＸ（各時刻の設定温度）＝２７度であるので、
上限温度＝２２＋５＝２７度、
下限温度＝２７−５＝２２度、となる。
【０２５８】
設定画面６２０の場合、中央の円筒型表示計６２２の設定温度は、下限温度を示しているため、それ以上温度を下げる操作を行うと、下限温度を下回ってしまう。
空調機遠隔制御システム１０ｈにおいては、ある予定時刻の設定温度に対して、下限温度を下回る操作を行おうとした場合、全ての時刻の設定温度を連動して１度下げる制御を行う。このような制御を行うことで、たとえ中央の円筒型表示計６２２において、下限温度を下回る操作を行ったとしても、なお、推奨温度範囲内に各時刻の設定温度を収めることが可能である。上限温度を上回る操作をした場合も、同様である。
【０２５９】
３．実施の形態３
本発明の実施の形態３に係る空調機遠隔制御システム１０ｉについて、説明する。
空調機遠隔制御システム１０ｉは、空調機遠隔制御システム１０と同様の構成を有する。ここでは、空調機遠隔制御システム１０との相違点を中心として説明する。
空調機遠隔制御システム１０ｉの携帯端末１０１は、一例として、図２６に示す設定画面２００ｎを表示してもよい。設定画面２００ｎにおいては、グラフ領域２７６において、設定温度が表示されている。
【０２６０】
空調機遠隔制御システム１０ｉの携帯端末１０１において表示される設定画面の別の例を、図３３（ａ）に示す。
図３３（ａ）に示す設定画面７０６ａにおいては、その中央部に、矩形のグラフ領域７０７ａが配置されている。グラフ領域７０７ａの下部に、横軸７０２が配置され、グラフ領域７０７ａの左側部に、縦軸７０１が配置されている。また、横軸７０２の下部には、開始ボタン７０５が配置されている。
【０２６１】
横軸７０２は、時刻の変化を示す。横軸７０２に沿って、横方向に、複数の予定時刻を示す目盛り値が表示されている。設定画面７０６ａでは、予定時刻として、左から、「１１時」、「０時」、「１時」、「２時」及び「３時」が表示されている。それぞれ、「１１時」、「０時」、「１時」、「２時」及び「３時」に対応する位置が、予定時刻１１時、０時、１時、２時及び３時であることを意味している。
【０２６２】
縦軸７０１は、温度の変化を示す。縦軸７０１に沿って、縦方向に、複数の温度を示す目盛り値が表示されている。設定画面２００ａでは、上から、「２７°Ｃ」、「２６°Ｃ」、「２５°Ｃ」、「２４°Ｃ」、「２３°Ｃ」及び「２２°Ｃ」が表示されている。それぞれ、「２７°Ｃ」、「２６°Ｃ」、「２５°Ｃ」、「２４°Ｃ」、「２３°Ｃ」及び「２２°Ｃ」に対応する位置が、温度２７°Ｃ、２６°Ｃ、２５°Ｃ、２４°Ｃ、２３°Ｃ及び２２°Ｃであることを意味している。
【０２６３】
グラフ領域７０７ａは、高温度領域７０３ａｘ、推奨温度領域７０５ａ及び低温度領域７０３ａｙに区分されている。高温度領域７０３ａｘは、各予定時刻において、上限温度より高い温度領域（言い換えると、推奨温度外の範囲）である。推奨温度領域７０５ａは、各予定時刻において、上限温度以下かつ下限温度以上の温度領域（言い換えると、推奨温度範囲）である。低温度領域７０３ａｙは、各予定時刻において、下限温度より低い温度領域（言い換えると、推奨温度外の範囲）である。
【０２６４】
グラフ領域７０７ａには、各予定時刻及び当該予定時刻に対応する設定温度について、当該予定時刻及び当該設定温度に対応する位置に、当該設定温度に係る温度表示が配置されている。この結果、グラフ領域７０７ａには、複数の温度表示７１１ａ、７１２ａ、７１３ａ、７１４ａ及び７１５ａが配置される。
携帯端末１０１の利用者は、各予定時刻における設定温度を表す温度表示７１１ａ、７１２ａ、７１３ａ、７１４ａ及び７１５ａを上下にスライド操作することにより、各予定時刻における設定温度を変更することができる。
【０２６５】
ここでは、各予定時刻における上限温度及び下限温度は、以下の式で決定される。
上限温度＝ＭＩＮ（右隣の設定温度＋１、左隣の設定温度＋１）  （式７）
下限温度＝ＭＡＸ（右隣の設定温度−１、左隣の設定温度−１）  （式８）
図３３（ａ）に示す場合、予定時刻「１時」においては、
上限温度＝ＭＩＮ（左隣（予定時刻「０時」）の設定温度（２４度）＋１、右隣（予定時刻「２時」）の設定温度（２４度）＋１）＝２５度であり、
下限温度＝ＭＡＸ（左隣（予定時刻「０時」）の設定温度（２４度）−１、右隣（予定時刻「２時」）の設定温度（２４度）−１）＝２３度である。
【０２６６】
従って、推奨温度領域（推奨温度範囲）は、２３度から２５度までの範囲となる。
図３３（ａ）に示す場合には、温度表示７１３ａにより示される予定時刻「１時」における設定温度は、すでに上限温度に到達している。このため、それ以上、設定温度を上げる操作を行うと、推奨温度範囲を上回ってしまう。
空調機遠隔制御システム１０ｉにおいては、ある予定時刻の設定温度に対して推奨温度範囲を上回る操作を行おうとした場合、図３３（ｂ）に示すように、隣接する予定時刻の設定温度を連動して１度上げる制御を行う。
【０２６７】
具体的には、利用者により、図３３（ａ）に示す温度表示７１３ａに対して、推奨温度領域７０５ａの範囲を上回る操作を行おうとした場合、制御部１１７は、図３３（ｂ）に示すように、温度表示７１３ｂを、２６°Ｃを示す位置に配置する。
次に、制御部１１７は、温度表示７１３ｂの両側に連接する温度表示を１度上げる。言い換えると、制御部１１７は、予定時刻１時の両側の予定時刻０時及び２時の設定温度を１度だけ上げる。続いて、制御部１１７は、図３３（ａ）の温度表示７１２ａ及び７１４ａを上方向に１度分だけ移動して、それぞれ、図３３（ｂ）に示すように、温度表示７１２ｂ及び７１４ｂを配置する。
【０２６８】
次に、制御部１１７は、各予定時刻における上限温度及び下限温度を、式７及び式８に従って、再計算する。制御部１１７は、各予定時刻において再計算された上限温度及び下限温度を、温度範囲テーブル１２２において、上書きする。
このような制御を行うことで、たとえ、予定時刻「１時」の設定温度に対して、推奨温度範囲を上回る操作を行ったとしても、なお、推奨温度範囲内に各時刻の設定温度を収めることが可能である。
【０２６９】
図３３（ｂ）に示す設定画面７０６ｂにおいて、さらに、予定時刻「１時」の設定温度に対して、さらに１度、設定温度を上げる操作を行った場合、図３３（ｃ）に示すように、隣接する予定時刻のさらに隣の予定時刻の設定温度も連動して１度上げる制御を行うよう制御することも可能である。
具体的には、利用者により、図３３（ｂ）に示す温度表示７１３ｂに対して、推奨温度領域７０５ｂの範囲を上回る操作を行おうとした場合、制御部１１７は、図３３（ｃ）に示すように、温度表示７１３ｃを、２７°Ｃを示す位置に配置する。
【０２７０】
次に、制御部１１７は、温度表示７１３ｃの両側に連接する温度表示を１度上げる。言い換えると、制御部１１７は、予定時刻１時の両側の予定時刻０時及び２時の設定温度を１度だけ上げる。続いて、制御部１１７は、図３３（ｂ）の温度表示７１２ｂ及び７１４ｂを上方向に１度分だけ移動して、それぞれ、図３３（ｃ）に示すように、温度表示７１２ｃ及び７１４ｃを配置する。
【０２７１】
このような制御をすることにより、ユーザは推奨温度範囲を気にすることなく、上限温度又は下限温度まで、設定温度の変更が可能になる。
変更が完了したら、開始ボタン７０５をタップ操作することにより、空調機制御情報テーブルがサーバ装置１０３に送信される。以降の制御方法は、空調機遠隔制御システム１０と同様であるので、記載を省略する。
【０２７２】
空調機遠隔制御システム１０ｉにおける動作について、図３４に示すフローチャートを用いて説明する。
ここで、図３４に示すフローチャートのステップＳ１２３、Ｓ１２４及びＳ１２５は、それぞれ、図９に示すフローチャートのステップＳ１２３、Ｓ１２４及びＳ１２５と同一である。
【０２７３】
ここでは、図９に示すフローチャートとの相違点を中心として説明する。
入力された温度が、上限温度及び下限温度の範囲内でない場合（ステップＳ１２３で「温度範囲外」）、ステップＳ１２５の次のステップにおいて、制御部１１７は、入力された温度が上限温度より高い場合、隣接する予定時刻の設定温度を１度だけ上げる。一方、入力された温度が下限温度より低い場合、隣接する予定時刻の設定温度を１度だけ下げる（ステップＳ２２１）。
【０２７４】
次に、制御部１１７は、上限温度＝ＭＩＮ（右隣の設定温度＋１、左隣の設定温度＋１）を算出する（ステップＳ２２２）。
次に、制御部１１７は、下限温度＝ＭＡＸ（右隣の設定温度−１、左隣の設定温度−１）を算出する（ステップＳ２２３）。
次に、制御部１１７は、各予定時刻における設定温度及び各予定時刻における上限温度及び下限温度により、温度範囲テーブル１２２及び空調機制御情報テーブル１２３を更新する（ステップＳ１２６ｂ）。
【０２７５】
４．その他の変形例
なお、本発明を上記の実施の形態に基づいて説明してきたが、本発明は、上記の実施の形態に限定されないのはもちろんである。以下のような場合も本発明に含まれる。
（１）制御部１１７は、図５（ａ）に示す設定画面２００ａに代えて、図３５に示す設定画面８０１を表示してもよい。
【０２７６】
設定画面８０１は、設定画面２００ａに類似している。ここでは、設定画面２００ａとの相違点を中心として、説明する。
ここで、上限温度及び下限温度に関連する項目は、上限温度及び下限温度に関連する表示の背景部分である。表示制御部１１７ｄは、背景部分を、異なる色又は異なる装飾を用いて、表示させる、としてもよい。
【０２７７】
より詳細には、設定画面８０１は、図３５に示すように、縦軸８０２、横軸８０３、複数の温度バー８０９ａ、９０９ｂ、８０９ｃ、複数の温度設定ボタン及び開始ボタン８０４を含む。
ここで、温度バー８０９ａ及び９０９ｂについては、上限温度及び下限温度の差分は、範囲閾値未満である。一方、温度バー８０９ｃについては、上限温度及び下限温度の差分は、範囲閾値以上である。
【０２７８】
表示制御部１１７ｄは、温度バー８０９ａ及び９０９ｂの背景部分について、第１のパターンの模様を施す。ここで、第１のパターンの模様は、無模様である。
一方、表示制御部１１７ｄは、温度バー８０９ｃの背景部分８０８について、第２のパターンの模様を施す。ここで、第２のパターンの模様は、無模様ではない。第２のパターンの模様は、ハッチング等により施される。
【０２７９】
また、表示制御部１１７ｄは、背景部分に着色を施してもよい。具体的には、第１のパターンの模様に代えて、第１の色を用い、第２のパターンの模様に代えて、第２の色を用いてもよい。
また、表示制御部１１７ｄは、背景部分のサイズを変えてもよい。具体的には、第１のパターンの模様を施す背景部分を大きくし、第２のパターンの模様を施す背景部分を小さくしてもよい。
【０２８０】
また、表示制御部１１７ｄは、背景部分に異なる文字書体による文字を表示してもよい。具体的には、第１のパターンの模様に代えて、第１の文字書体による文字を用い、第２のパターンの模様に代えて、第２の第１の文字書体による文字を用いてもよい。表示されける文字は、一例として、「閾値以上である」、「閾値未満である」等である。
このように、上限温度及び下限温度の差分が範囲閾値以上である場合の温度バーの背景部分について、上限温度及び下限温度の差分が範囲閾値未満である場合の温度バーの背景部分とは、異なる態様により表示する。
【０２８１】
これにより、利用者は、上限温度及び下限温度の差分が範囲閾値以上であるか否かを区別することができる。
（２）制御部１１７は、図２６に示す設定画面２００ｎに代えて、図３６に示す設定画面８１１を表示してもよい。
設定画面８１１は、設定画面２００ｎに類似している。ここでは、設定画面２００ｎとの相違点を中心として、説明する。
【０２８２】
取得部１１７ａは、一の時間帯において空調機１０２における目標温度の上限温度及び下限温度を取得する。算出部１１７ｂは、取得した上限温度及び下限温度の差分を算出する。判断部１１７ｃは、算出した差分が範囲閾値以上か否かを判断する。表示制御部１１７ｄは、上限温度及び下限温度の差分が範囲閾値以上である場合に、設定画面８１１において、上限温度及び下限温度に関連する項目を、範囲閾値未満である場合とは、異なる形態で表示させる。
【０２８３】
また、制御部１１７は、設定画面８１１において、複数の時間帯毎に、前記利用者から一の設定温度の選択を受け付ける。算出部１１７ｂは、複数の時間帯のうちの第１時間帯において選択された第１設定温度と、第１時間帯に隣接する第２時間帯において選択された第２設定温度との差分を算出する。判断部１１７ｃは、算出した前記差分が隣接閾値以上か否かを判断する。表示制御部１１７ｄは、前記差分が隣接閾値以上である場合に、設定画面８１１において、第１設定温度及び／又は第２設定温度に関連する項目を、隣接閾値未満である場合とは、異なる形態で表示させる。
【０２８４】
ここで、上限温度及び下限温度に関連する項目は、上限温度及び下限温度に関連する表示の背景部分である。表示制御部１１７ｄは、背景部分を、異なる色又は異なる装飾を用いて、表示させる、としてもよい。
より詳細には、設定画面８１１においては、その中央部に、矩形のグラフ領域８１５が配置されている。グラフ領域８１５の下部に、横軸８１３が配置され、グラフ領域８１５の左側部に、縦軸８１２が配置されている。また、横軸８１３の下部には、開始ボタン８１４が配置されている。
【０２８５】
グラフ領域８１５は、高温度領域８１６ｘ、推奨温度領域８１７及び低温度領域８１６ｙに区分されている。また、グラフ領域８１５には、各予定時刻及び当該予定時刻に対応する設定温度について、当該予定時刻に対応し、当該設定温度に対応する位置に、当該設定温度に係る温度表示が配置されている。この結果、グラフ領域８１５には、複数の温度表示８１８、８１９及び８２０が配置される。
【０２８６】
また、グラフ領域８１５には、温度表示８１８及び８１９を連結する線分８３３上に判定表示８３１が配置されている。温度表示８１９及び８２０を連結する線分８３４上に判定表示８３２が配置されている。
ここで、温度表示８１８、８１９により示される２個の設定温度の差分は、隣接閾値以上であるとする。また、温度表示８１９、８２０により示される２個の設定温度の差分は、隣接閾値未満であるとする。
【０２８７】
判定表示８３１及び判定表示８３２は、それぞれ、差分が隣接閾値以上であるか否かを示す。判定表示８３１と判定表示８３２とは、異なる形態により表示されている。
差分が隣接閾値以上である２個の設定温度について、一方の設定温度を表示する温度表示の背景部分を、他方の設定温度を表示する温度表示の背景部分は、異なる態様により、表示する。
【０２８８】
設定画面８１１においては、温度表示８１９及び８２０の背景部分について、第１のパターンの模様を施す。ここで、第１のパターンの模様は、無模様である。
一方、表示制御部１１７ｄは、温度表示８１８の背景部分について、第２のパターンの模様を施す。ここで、第２のパターンの模様は、無模様ではない。第２のパターンの模様は、ハッチング等により施される。また、表示制御部１１７ｄは、温度表示８１８の背景部分に着色を施してもよい。
【０２８９】
このように、隣接する２個の予定時刻における２個の設定温度の差分が隣接閾値以上である場合、一方の設定温度を表示する温度表示を、他方の設定温度を表示する温度表示とは、異なる態様により表示する。
これにより、利用者は、隣接する２個の予定時刻における２個の設定温度の差分が隣接閾値以上であるか否かを区別することができる。
【０２９０】
設定画面８１１においては、１１時及び０時においては、それぞれの時間帯における上限温度と下限温度の差分は、範囲閾値未満であるとする。一方、１時においては、当該時間帯における上限温度と下限温度の差分は、範囲閾値以上であるとする。
表示制御部１１７ｄは、上限温度及び下限温度の差分が範囲閾値以上である１時においては、高温度領域８１６ｘ及び低温度領域８１６ｙのうちの、領域８１６ｘｘ及び領域８１６ｙｙにおいて、右斜め上方向及び左斜め上方向のハッチングを施している。これに対して、高温度領域８１６ｘ及び低温度領域８１６ｙのうちの、その他の領域については、右斜め上方向のハッチングを施している。
【０２９１】
このようにして、表示制御部１１７ｄは、上限温度及び下限温度の差分が範囲閾値以上である場合に、設定画面８１１において、上限温度及び下限温度に関連する項目として、非推奨温度領域を、範囲閾値未満である場合とは、異なる形態で表示させている。
また、表示制御部１１７ｄは、上限温度及び下限温度の差分が範囲閾値以上である場合に、設定画面８１１において、上限温度及び下限温度に関連する項目として、推奨温度領域を、範囲閾値未満である場合とは、異なる形態で表示させてもよい。
【０２９２】
（３）次のようにしてもよい。
（ａ）本発明の一態様は、空調機を制御する端末の制御方法である。前記端末は、ディスプレイを備える。前記端末の制御方法は、前記端末であるコンピュータに対して、前記空調機の設定温度を複数の時間帯毎にユーザが設定可能な温度設定画面を、前記ディスプレイに表示させ、前記温度設定画面において、前記複数の時間帯毎の設定温度の最大値と最小値との差分が所定の値より大きくなる設定温度に関連する表示対象を、それ以外の設定温度に関連する表示対象とは異なる形態で表示させ、ユーザによる前記空調機の設定温度の設定が確定すると、前記温度設定画面にて設定された複数の時間帯毎の設定温度を保持させ、前記保持している複数の時間帯毎の設定温度に基づいて、前記空調機の設定温度を変更する制御コマンドを、所定のタイミングでネットワークに出力させる。
【０２９３】
（ｂ）本発明の別の一態様は、空調機を制御する端末の制御方法である。前記端末は、ディスプレイを備える。前記端末の制御方法は、前記端末であるコンピュータに対して、前記空調機の設定温度を複数の時間帯毎にユーザが設定可能な温度設定画面を、前記ディスプレイに表示させ、前記温度設定画面において、前記複数の時間帯のうち隣接する時間帯の設定温度の差分が所定の値より大きくなる設定温度に関連する表示対象を、それ以外の設定温度に関連する表示対象とは異なる形態で表示させ、ユーザによる前記空調機の設定温度の設定が確定すると、前記温度設定画面にて設定された複数の時間帯毎の設定温度を保持させ、前記保持している複数の時間帯毎の設定温度に基づいて、前記空調機の設定温度を変更する制御コマンドを、所定のタイミングでネットワークに出力させる。
【０２９４】
（ｃ）ここで、前記温度設定画面において、前記差分が所定の値より大きくなる設定温度を、それ以外の設定温度とは異なるフォント属性で表示させるとしてもよい。
（ｄ）ここで、前記温度設定画面において、設定温度を変更する為の操作部を表示させ、前記温度設定画面におけるユーザによる設定温度の設定操作は、前記操作部を移動させることによって行われ、前記差分が所定の値より大きくなる設定温度に対応する前記操作部の稼動領域を、それ以外の設定温度に対応する前記操作部の稼動領域とは異なる色で表示させるとしてもよい。
【０２９５】
（ｅ）ここで、前記温度設定画面において、設定温度を変更する為の操作部を表示させ、前記温度設定画面におけるユーザによる設定温度の設定操作は、前記操作部をレール上で移動させることによって行われ、前記差分が所定の値より大きくなる設定温度に対応する前記レールを、それ以外の設定温度に対応する前記レールとは異なる幅で表示させるとしてもよい。
【０２９６】
（ｆ）ここで、前記差分が所定の値より大きくなる設定温度に対応する前記温度設定画面の背景を、それ以外の設定温度に対応する前記温度設定画面の背景とは異なる色で表示させるとしてもよい。
（ｇ）ここで、前記温度設定画面において、設定温度を変更する為のボリュームコントローラを表示させ、前記差分が所定の値より大きくなる設定温度に対応する前記ボリュームコントローラのメモリを、それ以外の設定温度に対応する前記ボリュームコントローラのメモリとは異なる色で表示させるとしてもよい。
【０２９７】
（ｈ）また、本発明の別の一態様は、空調機を制御する端末の制御方法である。前記端末は、ディスプレイを備える。前記端末の制御方法は、前記端末であるコンピュータに対して、前記空調機の設定温度を複数の時間帯毎にユーザが設定可能な温度設定画面を、前記ディスプレイに表示させ、前記温度設定画面において、前記複数の時間帯毎の設定温度の最大値と最小値との差分が所定の値より大きくなる設定温度への設定操作に対する制御を、それ以外の設定温度への設定操作に対する制御とは異ならせ、ユーザによる前記空調機の設定温度の設定が確定すると、前記温度設定画面にて設定された複数の時間帯毎の設定温度を保持させ、前記保持している複数の時間帯毎の設定温度に基づいて、前記空調機の設定温度を変更する制御コマンドを、所定のタイミングでネットワークに出力させる。
【０２９８】
（ｉ）また、本発明の別の一態様は、空調機を制御する端末の制御方法である。前記端末は、ディスプレイを備える。前記端末の制御方法は、前記端末であるコンピュータに対して、前記空調機の設定温度を複数の時間帯毎にユーザが設定可能な温度設定画面を、前記ディスプレイに表示させ、前記温度設定画面において、前記複数の時間帯のうち隣接する時間帯の設定温度の差分が所定の値より大きくなる設定温度への設定操作に対する制御を、それ以外の設定温度への設定操作に対する制御とは異ならせ、ユーザによる前記空調機の設定温度の設定が確定すると、前記温度設定画面にて設定された複数の時間帯毎の設定温度を保持させ、前記保持している複数の時間帯毎の設定温度に基づいて、前記空調機の設定温度を変更する制御コマンドを、所定のタイミングでネットワークに出力させる。
【０２９９】
（ｊ）ここで、前記温度設定画面において、前記差分が所定の値より大きくなる設定温度の設定操作を制限させるとしてもよい。
（ｋ）ここで、前記温度設定画面において、設定温度を上げる為の第１ボタンと、設定温度を下げる為の第２ボタンとを表示させ、前記温度設定画面におけるユーザによる設定温度の設定操作は、前記第１ボタン又は前記第２ボタンを選択することによって行われ、前記第１ボタン又は前記第２ボタンのうち、選択されることで前記差分が所定の値より大きくなるボタンがある場合、前記ボタンの選択を制限させるとしてもよい。
【０３００】
（ｌ）ここで、前記温度設定画面において、設定温度を変更する為の操作部を表示させ、前記温度設定画面におけるユーザによる設定温度の設定操作は、前記操作部を移動させることによって行われ、前記操作部が特定方向へ移動されることで前記差分が所定の値より大きくなる場合、前記操作部の前記特定方向への移動を制限させるとしてもよい。
（ｍ）ここで、前記温度設定画面において、前記差分が所定の値より大きくなる設定温度を表示させないことで、前記差分が所定の値より大きくなる設定温度の設定操作を制限させるとしてもよい。
【０３０１】
（ｎ）ここで、前記温度設定画面において、前記差分が所定の値より大きくなる設定温度への設定操作が行われた場合、前記差分が所定の値より大きくならないように、設定温度を自動的に補正させるとしてもよい。
（ｏ）ここで、前記温度設定画面において、設定温度を変更する為の操作部を表示させ、前記温度設定画面におけるユーザによる設定温度の設定操作は、前記操作部を移動させることによって行われ、前記操作部が特定方向へ移動されることで前記差分が所定の値より大きくなる場合、前記操作部を、前記差分が所定の値より大きくならない範囲に、自動的に移動させるとしてもよい。
【０３０２】
（ｐ）ここで、前記温度設定画面において、前記差分が所定の値より大きくなる設定温度への設定操作が行われた場合、前記設定操作が行われている時間帯以外の時間帯の設定温度も、前記設定操作に従って変更させるとしてもよい。
（ｑ）ここで、前記温度設定画面において、前記差分が所定の値より大きくなる設定温度への設定操作が行われた場合、ユーザに対する警告を行わせるとしてもよい。
【０３０３】
（ｒ）ここで、前記温度設定画面において、前記差分が所定の値より大きくなる設定温度への設定操作が行われた場合、前記温度設定画面の表示を変更させることで、ユーザに対する警告を行わせるとしてもよい。
（ｓ）ここで、前記温度設定画面において、前記差分が所定の値より大きくなる設定温度への設定操作が行われた場合、前記端末から警告音を発生させることで、ユーザに対する警告を行わせるとしてもよい。
【０３０４】
（ｔ）ここで、前記温度設定画面において、前記差分が所定の値より大きくなる設定温度への設定操作が行われた場合、前記端末を振動させることで、ユーザに対する警告を行わせるとしてもよい。
上述したように、本発明によれば、携帯端末から空調機の設定温度を時間帯ごとにきめ細かく設定できるため、個人の好みに応じた温度制御ができると同時に、設定温度の変動幅に制限を設けることで、急激な温度変化による体調変化や消費電力量の増加を回避することが可能である。
【０３０５】
（４）上記の各装置は、具体的には、マイクロプロセッサ、ＲＯＭ、ＲＡＭ、ハードディスクユニット、ディスプレィユニットなどから構成されるコンピュータシステムである。前記ＲＡＭ又は前記ハードディスクユニットには、コンピュータプログラムが記憶されている。ここで、コンピュータプログラムは、所定の機能を達成するために、コンピュータに対する指令を示す命令コードが複数個組み合わされて構成されたものである。前記マイクロプロセッサが、前記コンピュータプログラムに従って動作することにより、各装置は、その機能を達成する。つまり、前記マイクロプロセッサは、前記コンピュータプログラムに含まれる各命令を１個ずつ読み出し、読み出した命令を解読し、解読結果に従って動作する。
【０３０６】
また、ＲＡＭ又はハードディスクユニットに記憶されているコンピュータプログラムに含まれる命令に従って、マイクロプロセッサが動作することにより、当該コンピュータプログラムとマイクロプロセッサとが、あたかも、一つのハードウェア回路を構成し、このハードウェア回路が動作しているようにみせることができる。
（５）上記の各装置を構成する構成要素の一部又は全部は、１個のシステムＬＳＩ（Large Scale Integration：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムに従って動作することにより、システムＬＳＩは、その機能を達成する。
【０３０７】
また、上記の各装置を構成する構成要素の各部は、個別に１チップ化されてもよいし、一部又は全てを含むように１チップ化されてもよい。また、ここでは、ＬＳＩとしたが、集積度の違いにより、ＩＣ、システムＬＳＩ、スーパーＬＳＩ、ウルトラＬＳＩであるとしてもよい。
ＬＳＩは、複数の回路ブロックから構成される。
【０３０８】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）やＬＳＩ内部の回路セルの接続や設定を再構成可能なリコンフィギュラブル・プロセッサを利用してもよい。
さらには、半導体技術の進歩又は派生する別技術によりＬＳＩに置き換わる集積回路化の技術が登場すれば、当然、その技術を用いて機能ブロックの集積化を行ってもよい。
【０３０９】
（６）上記の各装置を構成する構成要素の一部又は全部は、各装置に脱着可能なＩＣカード又は単体のモジュールから構成されているとしてもよい。前記ＩＣカード又は前記モジュールは、マイクロプロセッサ、ＲＯＭ、ＲＡＭ、などから構成されるコンピュータシステムである。前記ＩＣカード又は前記モジュールは、上記の超多機能ＬＳＩを含むとしてもよい。マイクロプロセッサが、コンピュータプログラムに従って動作することにより、前記ＩＣカード又は前記モジュールは、その機能を達成する。このＩＣカード又はこのモジュールは、耐タンパ性を有するとしてもよい。
【０３１０】
（７）本発明は、上記のコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な非一時的な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなど、に記録したものとしてもよい。また、これらの記録媒体に記録されている前記コンピュータプログラム又は前記デジタル信号であるとしてもよい。
【０３１１】
また、本発明は、前記コンピュータプログラム又は前記デジタル信号を、電気通信回線、無線又は有線通信回線、インターネットを代表とするネットワーク、データ放送等を経由して、伝送するものとしてもよい。
また、前記プログラム又は前記デジタル信号を、前記記録媒体に記録して、移送することにより、又は前記プログラム又は前記デジタル信号を、前記ネットワーク等を経由して、移送することにより、独立した他のコンピュータシステムにより実施するとしてもよい。
【０３１２】
（８）上記実施の形態及び上記変形例をそれぞれ組み合わせるとしてもよい。
【産業上の利用可能性】
【０３１３】
本発明にかかる空調機を遠隔操作する端末装置の制御方法は、空調機の周辺環境温度を急激に変化させないように、利用者に対して警告できるという優れた効果を奏する。このため、本発明は、空調機を遠隔操作する端末装置において用いられる技術として有用である。
【符号の説明】
【０３１４】
１０、１０ａ〜１０ｉ  空調機遠隔制御システム
１０１    携帯端末
１０２    空調機
１０３    サーバ装置
１０４、１０５    ネットワーク
１１１    アンテナ
１１２    無線通信部
１１３    通信制御部
１１４    音声制御部
１１５    スピーカ
１１６    マイク
１１７    制御部
１１７ａ  取得部
１１７ｂ  算出部
１１７ｃ  判断部
１１７ｄ  表示制御部
１１８    入出力制御部
１１９    操作受付部
１２０    タッチパネル
１２１    記憶部
１２４    バイブレータ
１４１    制御部
１４２    送受信部
１４３    記憶部
１６１    送受信部
１６２    制御部
１６３    空調機構
１６４    入力部
１６５    リモコン
【図１】
0006490955.tif 000002
【図２】
0006490955.tif 000003
【図３】
0006490955.tif 000004
【図４】
0006490955.tif 000005
【図５】
0006490955.tif 000006
【図６】
0006490955.tif 000007
【図７】
0006490955.tif 000008
【図８】
0006490955.tif 000009
【図９】
0006490955.tif 000010
【図１０】
0006490955.tif 000011
【図１１】
0006490955.tif 000012
【図１２】
0006490955.tif 000013
【図１３】
0006490955.tif 000014
【図１４】
0006490955.tif 000015
【図１５】
0006490955.tif 000016
【図１６】
0006490955.tif 000017
【図１７】
0006490955.tif 000018
【図１８】
0006490955.tif 000019
【図１９】
0006490955.tif 000020
【図２０】
0006490955.tif 000021
【図２１】
0006490955.tif 000022
【図２２】
0006490955.tif 000023
【図２３】
0006490955.tif 000024
【図２４】
0006490955.tif 000025
【図２５】
0006490955.tif 000026
【図２６】
0006490955.tif 000027
【図２７】
0006490955.tif 000028
【図２８】
0006490955.tif 000029
【図２９】
0006490955.tif 000030
【図３０】
0006490955.tif 000031
【図３１】
0006490955.tif 000032
【図３２】
0006490955.tif 000033
【図３３】
0006490955.tif 000034
【図３４】
0006490955.tif 000035
【図３５】
0006490955.tif 000036
【図３６】
0006490955.tif 000037
【図３７】
0006490955.tif 000038
【図３８】
0006490955.tif 000039
【図３９】
0006490955.tif 000040